(57)【要約】  行及び列に配列された画素を有し、第１及び第２タイルを含むタイル張り状ディスプレイ。前記タイルはある画素ピッチで配列された画素のマトリックスを載せた基板を備える。前記基板は互いに反対側の面間を深さ方向に延びる縁を有する。両方の前記基板縁は相補形状を有し、互いに対向して継ぎ目を確立する。前記画素ピッチは前記継ぎ目を横切って維持される。前記第２のタイルの画素は前記第１のタイルの画素間には位置しない。前記相補形状は、前記継ぎ目の一部は前記画素行に斜めであること、又は前記縁の少なくとも一部は前記面に垂直でないように前記深さ方向に輪郭形成された前記第１のタイルの前記基板縁を含む。タイル張り状ディスプレイは高解像度（例えば０．５ｍｍ未満の画素ピッチ）において前記継ぎ目で前記画素ピッチを維持できる。
2020527251.tif 000002
【特許請求の範囲】
【請求項１】
複数の行及び複数の列に配列された画素のアレイを有するタイル張り状ディスプレイであって、該タイル張り状ディスプレイは
均一な画素ピッチで配列された画素のマトリックスを載せた基板を備えた第１のタイルであって、
前記基板は互いに反対側の第１及び第２主要面と、前記互いに反対側の主要面間を前記基板の深さ方向に延びる第１縁とを有し、
画素の前記マトリックスは前記第１縁に最も近く配置された第１画素を含む、第１のタイルと、
前記均一な画素ピッチで配列された画素のマトリックスを載せた基板を備えた第２のタイルであって、
該第２のタイルの前記基板は互いに反対側の主要面と、該第２のタイルの前記基板の深さ方向に延びる第１縁とを有する、第２のタイルと
を備え、
両方の前記第１縁は相補形状を有し、
該タイル張り状ディスプレイの最終組み立て体は、
互いに対向してそれらの間に第１継ぎ目を確立する両方の前記第１縁を含み、
前記第１のタイルの画素は前記第２のタイルの画素と位置合わせされ、前記均一な画素ピッチは指定された直線方向に前記第１継ぎ目を横切って維持され、
前記第１画素が前記複数の行の第１行及び前記複数の列の第１列内に整列され、
前記第２のタイルの前記画素は前記第１行と前記第１列のどちらに沿っても前記第１のタイルの画素間には位置せず、
前記相補形状は、
前記第１継ぎ目の少なくとも一部は前記複数の行に斜めであることと、
前記第１のタイルの前記第１縁は、前記第１のタイルの前記第１縁の少なくとも一部は対応する前記互いに反対側の主要面の平面に垂直でないように前記深さ方向に輪郭形成されていることと
からなる群から選択された少なくとも１つの特徴を備える、タイル張り状ディスプレイ。
【請求項２】
前記第１のタイルの前記基板は対応する前記主要面間を延びる第２縁を更に有し、前記第２縁は前記第１のタイルの前記第１縁と角を形成し、前記第１のタイルの画素の前記マトリックスは前記第２縁に最も近く配置された第２画素を含み、
該タイル張り状ディスプレイは、
前記均一な画素ピッチで配列された画素のマトリックスを載せた基板を備えた第３のタイルであって、
該第３のタイルの前記基板は互いに反対側の主要面と、対応する前記主要面間を延びる第１縁とを有する、第３のタイルを
更に備え、
前記第１のタイルの前記第２縁と前記第３のタイルの前記第１縁とは相補形状を有し、
該タイル張り状ディスプレイの最終組み立て体は、
互いに対向してそれらの間に第２継ぎ目を確立する前記第１のタイルの前記第２縁と前記第３のタイルの前記第１縁とを含み、
前記第１のタイルの画素は前記第３のタイルの画素と位置合わせされ、前記均一な画素ピッチは前記指定された直線方向に前記第２継ぎ目を横切って維持される、請求項１記載のタイル張り状ディスプレイ。
【請求項３】
前記第１のタイルの前記第２縁と前記第３のタイルの前記第１縁との前記相補形状は
前記第２継ぎ目の少なくとも一部は前記複数の行に斜めであることと、
前記第１のタイルの前記第２縁と前記第３のタイルの前記第１縁とは、前記第１のタイルの前記第２縁と前記第３のタイルの前記第１縁とのそれぞれの少なくとも一部は対応する前記互いに反対側の主要面の平面に垂直でないように、それぞれ前記深さ方向に輪郭形成されていることと
からなる群から選択された少なくとも１つの特徴を備える、請求項２記載のタイル張り状ディスプレイ。
【請求項４】
前記第２のタイルの前記基板と前記第３のタイルの前記基板とはそれぞれ第２縁を更に有し、前記第１及び第２のタイルの前記第２縁は相補形状を有し、
該タイル張り状ディスプレイの最終組み立て体は、
互いに対向してそれらの間に第３継ぎ目を確立する前記第２のタイルの前記第２縁と前記第３のタイルの前記第２縁とを含み、
前記第２のタイルの画素は前記第３のタイルの画素と位置合わせされ、前記均一な画素ピッチは前記指定された直線方向に前記第３継ぎ目を横切って維持される、請求項２記載のタイル張り状ディスプレイ。
【請求項５】
前記第２のタイルの前記第２縁と前記第３のタイルの前記第２縁との前記相補形状は
前記第３継ぎ目の少なくとも一部は前記複数の行に斜めであることと、
前記第２のタイルの前記第２縁と前記第３のタイルの前記第２縁とは、前記第２のタイルの前記第２縁と前記第３のタイルの前記第２縁とのそれぞれの少なくとも一部は対応する前記互いに反対側の主要面の平面に垂直でないように、それぞれ前記深さ方向に輪郭形成されていることと
からなる群から選択された少なくとも１つの特徴を備える、請求項４記載のタイル張り状ディスプレイ。
【請求項６】
前記第１継ぎ目の前記一部は直線状でないか又は直線状である、請求項１記載のタイル張り状ディスプレイ。
【請求項７】
前記第１のタイルの前記第１縁は対応する前記第１主要面と鈍角をなし、対応する前記第２主要面と鋭角をなす、請求項１記載のタイル張り状ディスプレイ。
【請求項８】
前記第１のタイルの前記第１縁は対応する前記第１主要面と鈍角をなし、対応する前記第２主要面と鋭角をなす、請求項７記載のタイル張り状ディスプレイ。
【請求項９】
前記第１継ぎ目内に配置され前記第１のタイルの前記第１縁を前記第２のタイルの前記第１縁から分離する枠要素を更に備える、請求項８記載のタイル張り状ディスプレイ。
【請求項１０】
前記第２のタイルの前記第１縁は対応する第１の前記主要面と鋭角をなし、対応する第２の前記主要面と鈍角をなす、請求項７記載のタイル張り状ディスプレイ。
【請求項１１】
該タイル張り状ディスプレイの最終組み立て体は前記第２のタイルの前記第１縁と平行な前記第１のタイルの前記第１縁を含む、請求項１０記載のタイル張り状ディスプレイ。
【請求項１２】
前記第１のタイルは複数のマイクロＬＥＤを更に備える、請求項１記載のタイル張り状ディスプレイ。
【請求項１３】
該タイル張り状ディスプレイの最終組み立て体は、前記指定された直線方向に前記均一な画素ピッチの５０％以下の位置合わせ誤差で前記第２のタイルの画素と位置合わせされた前記第１のタイルの画素を含む、請求項１記載のタイル張り状ディスプレイ。
【請求項１４】
前記第１のタイルの前記基板はガラス、ガラスセラミック、及びセラミックからなる群から選択された材料を含む、請求項１記載のタイル張り状ディスプレイ。
【発明の詳細な説明】
【関連出願】
【０００１】
本出願は、２０１７年７月１１日に出願された米国仮特許出願第６２／５３１１１０号の米国特許法第１１９条の下の優先権の利益を主張するものであり、その内容全体を本明細書に援用する。
【技術分野】
【０００２】
本開示は概ね、大判ディスプレイに関する。特に、２つ以上のディスプレイタイルを備えたタイル張り状ディスプレイとタイル張り状ディスプレイを２つ以上のディスプレイタイルから形成する方法に関する。
【背景技術】
【０００３】
複数のディスプレイ技術、例えば、液晶ディスプレイ（ＬＣＤ）、発光ダイオード（ＬＥＤ）バックライトＬＣＤ、ＬＥＤディスプレイ、有機発光ダイオード（ＯＬＥＤ）ディスプレイ、電子ペーパーディスプレイなどが今日の市場における成功を達成している。各ディスプレイ技術分野内の製造業者は消費者に広く受け入れられたある形状因子又はサイズの対応するディスプレイの大量生産に大いに投資をしてきた。しかし、複数の最終使用者用途は、特定のディスプレイ技術用に従来入手可能な表示サイズよりずっと大きな所望の表示面積を必要とする。製造業者が単一の大面積ディスプレイを製作することは無論可能であるが、製造コストが大幅に増加する（従来形状因子又はサイズの製造に関連するコストに比べて）。例えば、所望の大面積ディスプレイのサイズは、既存の製造設備の処理能力よりずっと大きい場合があるので、設備の高価な変更又は新しい特殊な設備さえ必要となりうる。また、大表示サイズの歩留りはより小さな表示パネルの歩留りよりずっと低い。
【０００４】
上記を考慮すると、大面積ディスプレイを製作するための広く受け入れられ費用効果の高い手法は、２つ以上の小判ディスプレイを互いに近接して配置又は組み立て、大面積ディスプレイの様相を与えることである。この手法は通常「タイル張り」と呼ばれ、個々のより小判のディスプレイは、組み合わされて大面積タイル張り状ディスプレイを成す「タイル」と呼ばれる。従来、そして使用するディスプレイ技術に拘らず、矩形のタイル又はパネルがアレイ状に配列されて、各タイルの縁は隣接するタイルの縁と近接し対向するタイル張り状ディスプレイを生成する。近接するタイルの縁と縁の間の境界領域はしばしば「継ぎ目」と呼ばれる。タイル張り状ディスプレイにより生成される画像の見た目は継ぎ目を横切る画素ピッチのずれにより悪影響を受けうる。基準として、タイル張り状ディスプレイの各タイルは列と行に配列された画素又は画素素子のマトリックスを備えるか又は載せ（特定のディスプレイ技術により製作されるように）、それらの画素は列方向と行方向両方に、「ピッチ」又は「画素ピッチ」と呼ばれる画素間間隔又は距離（画素ピッチは表示解像度とほぼ同じ）で均一に互いと間隔（中心間）をあけられている。行に関連する画素ピッチは列の画素ピッチと異なってもよい。或いは、画素ピッチはディスプレイの他の直線方向に沿って規定されてもよい。タイル張り状ディスプレイの各タイルは同一の画素ピッチを有する一方、同じ画素ピッチが継ぎ目を横切って維持されない場合、継ぎ目が目に見え、画像を劣化させる。例えば、継ぎ目を形成する２つの近接するタイルの均一な画素ピッチが０．８ｍｍで、継ぎ目の両側の直接隣接する画素間の距離が３ｍｍである場合、これらのタイルにより生成され結合された画像に「裂け目」が視覚的に顕著となるであろう（特により近い距離において）。また、近接するタイル（従って対応する画素行又は列）が互いとずれている場合、結合された画像の品質が悪くなるであろう（例えば、結合された画像内の視覚的に認識できる「シフト」が継ぎ目に表れるかもしれない）。
【０００５】
継ぎ目を横切る画素ピッチのずれ及び／又はタイルとタイルの位置合わせ誤差の見込みは、主に、関係するディスプレイ技術の関数であり、このような心配に対処したいという要望は最終使用用途に依存する。例えば、従来のＬＣＤ技術は０．２５ｍｍオーダーの画素ピッチを提供でき、枠又はベゼルがディスプレイ自体の利用可能な表示領域を囲っている。多くの例では、ベゼルの存在（及び他の本質的な技術的限界）により、矩形で平らな縁ありパネルを、継ぎ目の両側の画素を互いから０．２５ｍｍ以内に配置するように配列することは非常に困難である。大面積タイル張り状ＬＣＤディスプレイの視覚的に認識できる画像劣化を容認できない（例えば、近くで見て）状況下では、光学補強物品を継ぎ目に又は覆って適用してもよい。反対に、現在のＬＥＤディスプレイ技術は１ｍｍオーダーの画素ピッチを提供する。近接するＬＥＤタイルのプリント回路基板を互いに当接させることで、タイル張り状ＬＥＤディスプレイの継ぎ目を横切ってこの画素ピッチを維持することが可能である。タイル張り状ＬＥＤディスプレイでは継ぎ目の可視性はあまり心配ではないが、対応する解像度は特定の最終使用用途にとって満足なものではない場合がある。
【０００６】
高解像度タイル張り状ディスプレイが存在するが、タイル継ぎ目は非常に目立つ（例えば、タイル張り状ＬＣＤディスプレイ）。一方、明白なタイル継ぎ目が無いタイル張り状ディスプレイが入手可能であるが、解像度は比較的低い（例えば、タイル張り状ＬＥＤディスプレイ）。また、同一のサイズで形状の矩形タイルのアレイを組み込む従来のタイル張り手法が連続する継ぎ目がタイル張り状ディスプレイの全長及び全幅に延びる結果になるので、これらの連続する継ぎ目は、時間経過とともにタイルがより容易に互いに対して移動するのを許し、機械的な安定性の問題を引き起こしうる。
【０００７】
従って、タイル張り状ディスプレイ、タイル張り状ディスプレイを製作するためのタイル、及びタイル張り状ディスプレイを組み立てる方法が本明細書に開示される。
【発明の概要】
【０００８】
本開示の幾つかの実施形態はタイル張り状ディスプレイに関する。タイル張り状ディスプレイは複数の行及び複数の列に配列された画素のアレイを有する。タイル張り状ディスプレイは第１及び第２タイルを備える。第１のタイルは均一な画素ピッチで規定された直線方向に沿って配列された画素のマトリックスを載せた基板を備える。前記基板は互いに反対側の主要面と、前記主要面間を前記基板の深さ方向に延びる縁とを有する。画素の前記マトリックスは前記第１縁に最も近い第１画素を含む。第２のタイルも前記均一な画素ピッチで規定された直線方向に沿って配列された画素のマトリックスを載せた基板を備える。該第２のタイルの前記基板は互いに反対側の主要面間を深さ方向に延びる縁を有する。第１のタイルの前記基板縁と第２のタイルの前記基板縁は相補形状を有する。また、該タイル張り状ディスプレイの最終組み立て体は、互いに対向してそれらの間に継ぎ目を確立する第１及び第２のタイルの前記基板縁を含む。前記第１のタイルの画素は前記第２のタイルの画素と位置合わせされ、前記均一な画素ピッチは規定された直線方向に沿って前記継ぎ目を横切って維持される。第１のタイルの前記第１画素が画素の前記アレイの第１行及び第１列と整列される。また、前記第２のタイルの画素は少なくとも前記第１行及び前記第１列に沿って前記第１のタイルの画素間には位置していない。最後に、前記基板縁の前記相補形状は、前記継ぎ目の一部が前記画素アレイの行に斜めであることと、前記第１のタイルの前記基板縁は、前記縁の少なくとも一部は対応する前記互いに反対側の主要面の平面に垂直でないように前記深さ方向に輪郭形成されていることとの少なくとも一方を含む。この構成により、タイル張り状ディスプレイは高解像度（例えば０．５ｍｍ以下の画素ピッチ）において規定された直線方向に沿って前記タイル継ぎ目で前記均一な画素ピッチとタイル間位置合わせとを維持する。幾つかの実施形態では、タイルはマイクロＬＥＤディスプレイ技術を取り込み、各画素は１つ以上のマイクロＬＥＤを備える。他の実施形態では、タイルは現在既知の又は将来開発されるどんな他のディスプレイ技術も取り込みことができる（例えば、ＬＣＤ、ＯＬＥＤ、ＬＥＤ、電子ペーパーなど）。幾つかの実施形態では、１つ以上のタイルの前記基板縁は非直線形状を有し、非直線形状の程度は画素ピッチ未満である。幾つかの実施形態では、深さ方向の基板縁輪郭は段付き形状を含む。
【０００９】
本開示のさらに他の実施形態は、タイル張り状ディスプレイを組み立てる方法に関する。基準表面上に第１のタイルが配置される。記第１のタイルは均一な画素ピッチで規定された直線方向に沿って配列された画素のマトリックスを載せた基板と前記第１のタイルのいずれの外周縁からも離れて設けられたアライメント特徴とを備える。前記基準表面上に第２のタイルが配置される。前記第２のタイルは均一な画素ピッチで規定された直線方向に沿って配列された画素のマトリックスを載せた基板と前記第２のタイルのいずれの外周縁からも離れて設けられたアライメント特徴とを備える。前記第１のタイルの１つの縁は前記第２のタイルの１つの縁と対向して継ぎ目を確立するよう少なくとも前記第２のタイルを前記第１のタイルに対して前記基準表面に沿って移動させる。前記第１のタイルの前記複数の画素が前記第２のタイルの前記複数の画素と位置合わせされるように前記第１のタイルの前記アライメント特徴を前記第２のタイルの前記アライメント特徴と位置合わせする。位置合わせする前記ステップの後、前記均一な画素ピッチは前記継ぎ目を横切って維持される。これら及び関連する方法で、近接するタイル間で画素は、タイル間の縁と縁の接触に依ることなく直接に整列される。幾つかの実施形態では、アライメント特徴は画素素子（例えば、マイクロＬＥＤ）、薄膜トランジスタ（ＴＦＴ）又は電子相互接続パターン、パターン形成された位置合わせマークなどからなってもよい。近接するタイルのアライメントはタイルの基板上に正確に配置又は作られた特徴に基づくことができ、縁又は位置又は形状変動に依存しない。
【００１０】
追加の特徴及び利点は下記の詳細な説明で明らかにされ、その説明から部分的には当業者には容易に明白であり、下記の詳細な説明、請求項、及び添付図面を含む本明細書に記載された実施形態を実施することで理解されるであろう。
【００１１】
上記概要説明と下記の詳細な説明の両方とも様々な実施形態を説明し、請求項に記載された対象物の特質及び特性を理解するための概観又は枠組みを提供するよう意図されていることは理解されるべきである。添付図面はそれら様々な実施形態の更なる理解を提供するために含まれ、本明細書に組み込まれ一部をなしている。図面は本明細書に記載された様々な実施形態を例示し、記述内容と共に請求項に記載された対象物の原理と動作を説明するよう働く。
【図面の簡単な説明】
【００１２】
【図１】本開示の原理に係る、タイル張り状ディスプレイの簡単化された表平面図を含むディスプレイ装置の概略図である。
【図２Ａ】図１のタイル張り状ディスプレイのタイルの拡大された簡略表平面図である。
【図２Ｂ】図２Ａのタイルの拡大された簡略側面図である。
【図３】本開示の原理に係る、別のタイル張り状ディスプレイの簡単化された表平面図である。
【図４】本開示の原理に係る、別のタイル張り状ディスプレイの簡単化された表平面図である。
【図５】本開示の原理に係る、別のタイル張り状ディスプレイの簡単化された表平面図である。
【図６】本開示の原理に係る、別のタイル張り状ディスプレイの一部の簡単化された端面図である。
【図７】本開示の原理に係る、別のタイル張り状ディスプレイの一部の簡単化された端面図である。
【図８】本開示の原理に係る、別のタイル張り状ディスプレイの一部の簡単化された端面図である。
【図９】本開示の原理に係る、別のタイル張り状ディスプレイの一部の簡単化された端面図である。
【図１０】本開示の原理に係る、別のタイル張り状ディスプレイの一部の簡単化された端面図である。
【図１１】本開示の原理に係る、タイル張り状ディスプレイの組み立てにおける基準シートに装着されたタイルの一部の簡単化された断面図である。
【図１２Ａ】図１１の基準シートを使用してタイル張り状ディスプレイを組み立てる方法を例示する。
【図１２Ｂ】図１１の基準シートを使用してタイル張り状ディスプレイを組み立てる方法を例示する。
【図１２Ｃ】図１１の基準シートを使用してタイル張り状ディスプレイを組み立てる方法を例示する。
【図１３】本開示の方法に係る、タイル張り状ディスプレイの組み立てにおける基準シートに装着されたタイルの一部の簡単化された断面図である。
【図１４】本開示の原理に係る、タイル張り状ディスプレイの形成における基準シートにより支持されたタイルの簡単化された端面図である。
【図１５Ａ】図１４の配置を使用してタイル張り状ディスプレイを組み立てる方法を例示する。
【図１５Ｂ】図１４の配置を使用してタイル張り状ディスプレイを組み立てる方法を例示する。
【図１５Ｃ】図１４の配置を使用してタイル張り状ディスプレイを組み立てる方法を例示する。
【発明を実施するための形態】
【００１３】
タイル張り状ディスプレイ、タイル張り状ディスプレイを製造する方法、及びタイル張り状ディスプレイで使用するためのタイルの様々な実施形態を詳細に記述する。本開示のタイル張り状ディスプレイ全体は、０・１ｍ以上、或いは０．５ｍ以上、或いは１ｍ以上、或いは２ｍ以上、或いは５ｍ以上、或いは１０ｍ以上の少なくとも１つの直線寸法を有しうる。可能ならいつでも、同じ又は類似の部品を指すために同じ符号を全図面に亘って使用する。
【００１４】
本開示の原理に係るタイル張り状ディスプレイ２０の１つの実施形態が図１に簡単化された形態で示されている。本開示のタイル張り状ディスプレイは、概ね２つ以上のタイル、例えば図１において識別された第１と第２のタイル３０、３２を含む。下記にもっと詳細に説明するように、第１と第２のタイル３０、３２のそれぞれは、１つ以上の画素又は画素素子４４を載せた基板４０か４２を含む。タイル３０、３２は互いに相対的に配置されて、タイル張り状ディスプレイ２０の最終組み立て後に画素アレイ４６が形成され、アレイ４６の画素４４が集団として２つの直線方向、例えば複数の行Ｒと行Ｒに垂直な複数の列Ｃとに配列又は整列される。或いは、画素アレイは他の直線方向、例えば複数の行及び行に垂直でない複数の対角線により規定されうる。画素ピッチはアレイ４６により確立され、「画素ピッチ」は、アレイ４６の指定された直線方向に近接又は直接隣接する画素４４間の名目又は平均中心間距離と定義される（例えば、各行Ｒの方向に（又は沿って）近接する画素４４の全てのペア間の名目又は平均中心間距離、又は各列Ｃの方向に（又は沿って）近接する画素４４の全てのペア間の名目又は平均中心間距離）。指定された直線方向内の近接する画素４４の任意の特定のペア間の実際の中心間距離は、指定された画素ピッチからずれる又は僅かに変化しうることは理解されよう。しかし、アレイ４６は均一な画素ピッチを有すると特徴づけられ、「均一な画素ピッチ」は指定された直線方向に近接する画素４４の任意の特定のペア間の中心間距離であって、指定された画素ピッチ（即ち、指定された直線方向に近接する画素４４の全てのペアの名目又は平均画素ピッチ）から５０％以下、或いは４０％以下、或いは３０％以下、或いは２０％以下、或いは１０％以下、或いは５％以下、そして幾つかの実施形態では１％以下だけずれる又は変化する中心間距離と定義される。本開示の幾つかの実施形態では、基板４０、４２は、タイル３０、３２の間に形成された継ぎ目５０を横切って画素ピッチを維持すること、又は所望のタイル間位置合わせ（例えば、画素ピッチの５０％以下、或いは４０％以下、或いは３０％以下、或いは２０％以下、或いは１０％以下、或いは５％以下、そして幾つかの実施形態では１％以下の位置合わせ誤差）、又は両方を促す１つ以上の相補的特徴を取り込んでいる。例えば、相補的特徴は、基板４０、４２が継ぎ目５０の少なくとも一部を行Ｒの方向に対して斜めになるように形成するように成形されていること及び／又は基板４０、４２の一方又は両方の縁が深さ（Ｚ）方向に輪郭形成されていることを含んでもよい。基準として、タイル張り状ディスプレイ２０はディスプレイ装置５２の一部であってもよい。ディスプレイ装置５２は各タイル３０、３２に電子的に接続され当技術分野で既知の協調画像の表示時にタイル３０、３２の動作を駆動するようプログラムされたコントローラ５４を更に含む。
【００１５】
本開示のタイルは現在既知の又は将来開発されるどんなディスプレイ技術、例えばりん光、エレクトロルミネセント、有機又は無機放射、透過、反射、又は他の既知の技術も取り込み可能である。従って、各タイル３０、３２の画素４４は、例えばマイクロＬＥＤ、ＬＣＤ、ＯＬＥＤ、ＬＥＤ、電子ペーパーなどにより提供されうる。或いは、ＬＣＤ装置内で使用されるタイル張り状マイクロＬＥＤバックライトなどのディスプレイ技術の組み合わせを使用できる。この非限定の例では、マイクロＬＥＤバックライトアレイの画素ピッチは組み合わされたＬＣＤの画素ピッチと異なってもよい。デジタル結像において画素はラスター画像内の物理的点又は表示装置内の最小のアドレス可能な表示素子であることは理解されよう。言い換えると、画素はディスプレイで表示される画像又は画面の最小の制御可能な要素である。画素のアドレスはその物理的座標に対応する。ＬＥＤ又はマイクロＬＥＤなどの幾つかのディスプレイ技術では、画素４４は実際には３つ（又はより多くの）「サブ画素」からなる表面実装ランプでありうる。各サブ画素は赤、緑、及び青素子（例えばダイオード又は色変換）を備える個別のＬＥＤ（又はマイクロＬＥＤ）である。ＬＣＤなどの他のディスプレイ技術では、各画素は２つの透明な電極間に整列された分子の層からなり、更に偏光フィルター及び赤、緑、及び青サブ画素を作る色フィルターを有する。幾つかの実施形態では、本開示のタイル（例えばタイル３０、３２）の、従ってタイル張り状ディスプレイ２０の画素ピッチの名目値は１．０ｍｍ以下、或いは０．５ｍｍ以下、或いは０．４ｍｍ以下、或いは０．３ｍｍ以下、或いは０．２ｍｍ以下、そして幾つかの実施形態では０．１ｍｍ以下である（例えば、マイクロＬＥＤディスプレイ技術では）。放射ディスプレイ技術が使用される場合は、タイル３０、３２は上部放射又は底部放射構成を有しうる。また、タイル３０、３２は上部放射又は底部放射領域又は混合アレイを有しうる。
【００１６】
上記を考えると、使用する特定のディスプレイ技術に依ってタイル３０、３２を備える基板４０、４２は様々な形状をとり、様々な機能を果たす。例えば、幾つかの実施形態では、基板４０、４２は画素素子（例えば、ＬＥＤ、マイクロＬＥＤなど）を実装又は取り付ける表面を提供しうる。他の実施形態では、基板４０、４２はディスプレイ技術積層の必須のサブ構成要素でありうる（例えば、代表的なＬＣＤディスプレイ技術積層は、表板、結晶層、裏板、偏光子、光スプレッダ、及びバックライト源を含む、この非限定の例では、基板４０、４２は表板、裏板、又はバックライト源（又はの一部）として構成及び設定されうる、他のサブ構成要素は同様には又は全くタイル張りされていない）。或いは、基板４０、４２は特定のディスプレイ技術（例えば、ＬＣＤ）で有用な薄膜トランジスタ（ＴＦＴ）素子の支持層であってもよい。さらに他の実施形態では、基板４０、４２はカバー板であっても、使用されるディスプレイ技術の従来の構成に追加された部品などであってもよい。これらの全体説明を考えると、幾つかの実施形態では、基板４０、４２は少なくとも１つの材料がガラス、ガラスセラミック、又はセラミックである単一、多層又は複合の構造体であってもよい。特定のディスプレイ技術によれば、基板４０は透明、散乱性、又は不透明であってもよい。幾つかの実施形態では、基板は寸法が安定であるように構成されている。例えば熱膨張係数（ＣＴＥ）は１０ｐｐｍ／℃以下、或いは８ｐｐｍ／℃以下、或いは６ｐｐｍ／℃以下、或いは４ｐｐｍ／℃以下である。必要であれば、基板４０、４２のヤング率は５０ＧＰａ以上、或いは６０ＧＰａ以上、或いは７０ＧＰａ以上である。或いは、基板４０の選択可能な寸法安定性は、基板４０が水又は溶剤が存在する中で寸法変化が少ないように構成されていると特徴付けられうる（即ち、基板は水又は溶剤が存在する中で寸法変化が１０％未満である）。幾つかの実施形態では、基板４０、４２は２ｍｍ以下、或いは１ｍｍ以下、或いは０．７ｍｍ以下、或いは０．５ｍｍ以下、或いは０．３ｍｍ以下、或いは０．２ｍｍ以下の厚みを有する。基板４０、４２はそれぞれ０．０５ｍ以上、或いは０．１ｍ以上、或いは０．５ｍ以上、そして他の実施形態では１ｍ以上の少なくとも１つの直線寸法を有してもよい。幾つかの実施形態では、ディスプレイ技術用途要求に依って、基板４０、４２の組成は概ね無アルカリ（即ち、アルカリは１％以下）、又はアルカリを含有し、例えば幾つかのＴＦＴ製造又はイオン交換プロセスに適合していてもよい。
【００１７】
基板形状
上記のように、幾つかの実施形態では、タイル張り状ディスプレイのタイルの２つ以上（例えば、タイル３０、３２）は相補形状の基板（例えば、基板４０、４２）と画素配列とを組み込んでもよい。これらは均一な画素ピッチを継ぎ目５０を横切って維持すること及び／又は画素ピッチの５０％以下、或いは４０％以下、或いは３０％以下、或いは２０％以下、或いは１０％以下、或いは５％以下、そして幾つかの実施形態では１％以下の誤差のタイル間位置合わせを促す。更なる記述として、図２Ａ及び図２Ｂは孤立した第１のタイル３０を、図１の座標系と共に例示する。図２Ａ及び図２Ｂの非限定の実施形態は、各画素４４が１つ以上のマイクロＬＥＤにより画定された画素４４を有する可能なマイクロＬＥＤディスプレイ技術構造に類似しているかもしれない。画素４４が基板４０の表面上に配列され、基板４０はタイル３０の最外境界又は外周を画定している。タイル３０は画素４４を望むように動作させるのに適切な１つ以上の追加の構成要素、例えば回路配線又はコネクタ（基板４０上、内、又は通って形成されても、されなくてもよい）、カバーシート、偏光子などを含むことができる。いずれにしも、基板４０は互いに反対側の第１と第２の主要面６０、６２を画定していると見ることができる。主要面６０、６２の一方又は両方は、ＸＹ（又は表示）平面内で概ね平坦又は平面状（即ち、タイル３０に亘って真に平坦な表面から５％以内）であってよく、基板４０の縁は主要面６０、６２間をＺ又は深さ方向に延びる。例えば、第１、第２、第３、及び第４の縁６４、６６、６８、７０が図２Ａにおいて識別され、第１、第２、及び第３の縁６４、６６、６８が図２Ｂにおいて見える。画素４４は第１の主要面６０上に配置でき、均一な画素ピッチのマトリックス８０の形に配列されている（即ち、指定された直線方向（例えば、Ｘ方向及び／又はＹ方向）に近接する画素４４間の中心間距離がマトリックス８０に亘って上記のように均一である）。Ｘ方向及びＹ方向の画素ピッチは同じか又は異なってもよい。また、画素マトリックス８０は非直交直線方向のペア、例えばＸ方向と対角線により画定されうる。
【００１８】
縁６４、６６、６８、７０は結合し基板４０の（ＸＹ平面内の）形状を画定し、幾つかの実施形態では、縁６４、６６、６８、７０の少なくとも１つの少なくとも一部は非直線である。例えば、図２Ａの非限定の実施形態では、第１の縁６４がＸＹ平面内で非直線（例えば、曲線又は波状）であるが、第２、第３、及び第４の縁６６、６８、７０は直線である。この構造で、非直線の第１縁６４に最も近いマトリックス８０の画素４４（例えば、図２Ａの４４ａ〜４４ｇで識別される画素）の２つ以上は第１縁６４から異なる距離に位置する。例えば、第１画素４４ａと非直線の第１縁６４との距離は第５画素４４ｅと非直線の第１縁６４との距離より大きい。本開示の幾つかの実施形態では、画素４４の１つ以上は基板４０の縁に非常に接近して位置してもよい（例えば、０．３ｍｍ以下、或いは０．２ｍｍ以下、或いは０．１ｍｍ以下の距離又は間隔）。いずれにしも、タイル張り状ディスプレイ２０(図１)の１つ以上の他のタイルは、非直線の第１縁６４の形状と、非直線の第１縁６４に対するマトリックス８０の画素４４の位置とを補完する特徴を取り込むことができる。
【００１９】
例えば、図１も参照して、第２のタイル３２の基板４２は、上記で説明した第１のタイル３０の基板４０に非常に似ていてよい。タイル張り状ディスプレイ２０の最終組み立て後、第１のタイル３０の基板４０の第１縁６４は第２のタイル３２の基板４２の第１縁９０と対向し継ぎ目５０を作る。第２タイルの基板４２の第１縁９０は、ＸＹ平面内で第１タイルの基板４０の第１縁６４の形状を補完する又はまねた非直線形状を有する。また、第２のタイル３２の画素４４は、第１のタイル３０と同じ均一な画素ピッチのマトリックス９２の形に配列され、マトリックス９２は、第１縁９０に対して、対応する第１縁６４に対する第１タイル３０の画素マトリックス８０の位置合わせと対応する仕方で位置合わせされる（第１タイル画素マトリックス８０と第２タイル画素マトリックス９２は結合してタイル張り状ディスプレイ２０の画素アレイ４６を作ることは理解されるであろう）。この構造では、相補の非直線第１縁６４、９０は、第１と第２のタイル３０、３２の互いに対する迅速で着実な配置及び位置合わせを可能にする（例えば、第１タイル基板４０の第１縁６４は第２タイル基板４２の第１縁９０と容易に「整合」又は嵌め合わさる）。結果としての継ぎ目５０は相補的第１縁６４、９０の非直線形状に似る。これに関して、選択可能な非直線形状の継ぎ目５０は多様な他の形状をとることができ、継ぎ目５０の一部は直線状でありうる。より一般的に言えば、本開示の幾つかの実施形態では、近接するタイルの対向する縁により形成される継ぎ目５０は、画素アレイ４６の複数の行Ｒに斜めである少なくとも一部を有すると描写できる。しかし、他の実施形態では、継ぎ目全体が行Ｒに平行又は垂直であってもよい。この非限定の例では、タイル縁６４、９０は互いと物理的に接触していてもいなくてもよい。
【００２０】
タイル３０、３２は、最終組み立て後、タイル３０、３２の均一な画素ピッチが継ぎ目５０を横切って維持されるよう更に構成される。言い換えれば、継ぎ目５０の両側で整列された画素間の中心間間隔は、個々のタイル３０、３２内で確立された均一な画素ピッチと一致する（画素ピッチの１０％以内である）。従って、例えば、最終組み立て後、第１タイル３０の第１画素４４ａは第２タイル３０の第１画素４４ａ’と整列し、第１タイル３０の第５画素４４ｅは第２タイル３２の第５画素４４ｅ’と整列する。第１タイル３０の第１画素４４ａと対応する第１縁６４との距離は第５画素４４ｅのそれより大きいが、第１及び第５画素４４ａ’、４４ｅ’は対応する第１縁９０に対して反対の関係にある。従って、最終組み立て後、継ぎ目５０の両側にあるが近接する第１画素４４ａ、４４ａ’間の中心間距離は、近接する第５画素４４ｅ、４４ｅ’間の中心間距離と同様、均一な画素ピッチと一致する又はそれを維持する。
【００２１】
タイル張り状ディスプレイの２つの近接するタイルが相補的非直線縁を含む実施形態では（例えば、図１の非限定例タイル３０、３２では）、対応する基板４０、４２は、その非直線性が画素ピッチ間隔内に含まれ、互いに入り込んだ画素を作らないように構成される。即ち、第１縁６４、９０のいずれの非直線性（又は直線からのずれ）も画素ピッチ（名目又は平均値）未満である。或いは、この選択可能な特徴は、例えば継ぎ目５０に最も近い画素４４の１つ以上を参照して描写できる。例えば、図１の構成では、第１タイル３０の第５画素４４ｅが対応する第１縁６４（従って、継ぎ目５０）に最も近い第１タイル画素である。結果としてのタイル張り状ディスプレイ２０の画素アレイ４６において、第１タイル３０の第５画素４４ｅは第１行Ｒ１及び第１列Ｃ１と整列する。上記の互いに入り込んだ画素が無いことは、第２タイル３２の画素４４は、第１行Ｒ１か第１列Ｃ１のどちらに沿っても第１タイル３０の画素４４間に置かれないことを意味する。この選択可能な構造では、基板縁非直線性は相対的に小さく、取扱い時の基板損傷又は破損の可能性を最小化する（例えば、大きな非直線性が基板縁により形成される場合、基板の非直線領域は取扱い時により容易に損傷又は破損するであろう）。
【００２２】
図１のタイル張り状ディスプレイ２０を２つのタイル３０、３２を含むとして説明したが、他の実施形態では、３つ以上のタイルを備えてよい。また、１つ以上のタイル基板４０、４２の２つ以上の縁は上記のような非直線形状を取り込んでもよい。タイル張り状ディスプレイを構成する複数のタイルは同じ形状又は寸法を有していてもいなくてもよい。１つのタイル間継ぎ目に向かう直線方向の画素ピッチは別の直線方向の画素ピッチと異なってもよい。
【００２３】
非直線縁は本開示の原理に係る相補形状特徴の１つの非限定例である。他の実施形態では、複数のタイル基板は、直線継ぎ目で接続して画素ピッチを継ぎ目を横切って維持し有用なタイル間位置合わせを提供するように構成及び形成されている。例えば、本開示の別の実施形態のタイル張り状ディスプレイ１２０が図３に簡単化された形態で示され、複数のタイル、例えば第１、第２、第３、第４、第５、第６、及び第７タイル１３０、１３２、１３４、１３６、１３８、１４０、１４２を含む。タイル１３０〜１４２はそれぞれ上記記載に合致する基板、例えば第１、第２、及び第３タイル１３０、１３２、１３４にそれぞれ対応する図３で識別される基板１５０、１５２、１５４を含む。タイル１３０〜１４２は前述したディスプレイ技術のどれでも取り込むことができる。対応する基板（例えば、基板１５０〜１５４）は複数の画素又は画素素子４４を載せている。基準として、例示の容易さのために、画素は第６及び第７タイル１４０、１４２には示されていない。幾つかの実施形態では、本開示のタイル張り状ディスプレイの全てではないタイルが画素を有する。いずれにしも、タイル張り状ディスプレイ１２０の最終組み立て後、画素４４は集団としてアレイ１６０の形に配列され、アレイ１６０は上記のようにそれぞれ同じ均一な画素ピッチを有する複数の行Ｒと列Ｃを備える。２つ以上の近接するタイル１３０〜１４２は相補形状特徴とタイル間に形成された継ぎ目を横切って画素ピッチを維持する画素配列を有する。アレイ１６０の均一な画素ピッチは、別の直線方向の画素ピッチ値と同じか又は異なる１つの直線方向の画素ピッチ値であってよい。
【００２４】
例えば、第１及び第２タイル基板１５０、１５２は相補形状を有し、最終組み立て後、それらの間に第１継ぎ目１６２を画定する。特に、第１及び第２タイル基板１５０、１５２は、最終組み立て後、第１タイル基板１５０の第１縁１７０が第２タイル基板１５２の第１縁１８０と相補し対向して第１継ぎ目１６２を形成するようサイズと形状が決められている。縁１７０、１８０は互いに物理的に接触していてもいなくてもよい。第１タイル１３０の画素４４は第１タイル基板１５０においてマトリックスの形に配列され、第１タイル１３０の画素マトリックスは均一な画素ピッチを有する。第２タイル１３２の画素４４も第２タイル基板１５２において均一な画素ピッチでマトリックスの形に配列される。第１及び第２タイル１３０、１３２のそれぞれの画素４４の対応する基板第１縁１７０、１８０に対する相補的関係も提供される。これらの相補形状と画素配列により、第１継ぎ目１６２の両側にある近接する画素４４間の画素ピッチはタイル１３０、１３２（従って、タイル張り状ディスプレイ１２０の画素アレイ１６０）の均一な画素ピッチと一致する。例えば、第１タイル１３０の画素４４は第１縁１８０に最も近い第１及び第２画素４４ａ、４４ｂを含む。第２タイルの画素４４は第１及び第２画素４４ａ’、４４ｂ’を含む。最終組み立て後、第１タイル１３０の第１画素４４ａは第２タイル１３２の第１画素４４ａ’と（１つの列Ｃの一部として）整列し、第２画素４４ｂ’と（１つの行Ｒの一部として）整列する。第１タイル１３０の第１画素４４ａと第２タイル１３２の第１画素４４ａ’との（列方向の）中心間距離は均一な画素ピッチと一致するように、第１タイル１３０の第１画素４４ａと第２タイル１３２の第２画素４４ｂ’との（行方向の）中心間距離も一致する。同様に、第１タイル１３０の第２画素４４ｂと第２タイル１３２の第２画素４４ｂ’との（列方向の）中心間距離は均一な画素ピッチと一致する。最終組み立て後、第１タイル基板１５０の縁と第３タイル基板１５４の縁の間に画定される第２継ぎ目１６４を横切って同様の関係が確立される（即ち、第１及び第３タイル１３０、１３４の近接する画素４４間の第２継ぎ目１６４を横切る中心間距離は均一な画素ピッチと一致する）、タイル張り状ディスプレイ１２０の他の継ぎ目（例えば、第２タイル基板１５２の縁と第３タイル基板１５４の縁の間に画定される第３継ぎ目１６６）においても同様である。
【００２５】
前述した実施形態のように、少なくとも２つのタイル基板の相補形状は対応する継ぎ目の少なくとも一部を行Ｒに斜めとなるように方向付ける。例えば、第１継ぎ目１６２全体と第２継ぎ目１６４全体が行Ｒに斜めである（タイル張り状ディスプレイ１２０の他の継ぎ目、例えば第３継ぎ目１６６は行Ｒに垂直又は平行であってもよいことは理解されよう）。また、最終組み立て後、近接するタイルの画素４４は互いに入り込んでいない（例えば、第２、第３、及び第４タイル１３２、１３４、１３６の画素４４は列Ｃ又は行Ｒのいずれでも第１タイル１３０の画素間に置かれていない）。また、幾つかの継ぎ目は交わり（例えば、第１、第２、及び第３継ぎ目１６２、１６４、１６６は互いに交わる）、タイル張り状ディスプレイ１２０の交わる継ぎ目のいずれも、行Ｒ又は列Ｃに平行な連続する直線継ぎ目又は線を作らない。この選択可能な配置はタイル張り状ディスプレイ１２０の全体の機械的安定性を増進し、これにより個々のタイル１３０〜１３６は時間経過とともに互いに対して移動することはありそうにない。
【００２６】
図３の基板形状（及び対応する画素配列）は本開示の原理に係る非限定例である。他の実施形態では、複数のタイル基板は複数の他の周囲形状、例えば矩形、六角形、三角形、又はタイル張り状ディスプレイの製作時互いに組み付けられた時に画素アレイ内に空きを残さない任意の他の形状を有してもよい。組み立てられたタイル張り状ディスプレイ全体内の個々のタイルの全てが同じ形状又は寸法を有する必要はないが、幾つかの実施形態では、類似の形状を有する。これを考えると、別の非限定実施形態のタイル張り状ディスプレイ２２０が図４に簡単化された形態で示されている。タイル張り状ディスプレイ２２０は、上記の説明に類似してよく、複数のタイル、例えば第１、第２、第３、及び第４タイル２３０、２３２、２３４、２３６を含む。タイル２３０〜２３６はそれぞれ上記記載に合致する基板、例えば基板２４０、２４２、２４４、２４６を含む。タイル２３０〜２３６は前述したディスプレイ技術のどれでも取り込むことができ、対応する基板２４０〜２４６の一部又は全てが複数の画素又は画素素子４４を載せている。例示の容易さのために、画素は第４タイル２３６には示されていない。タイル張り状ディスプレイ２２０の最終組み立て後、画素４４は集団としてアレイ２５０の形に配列され、アレイ２５０は上記のようにそれぞれ同じ均一な画素ピッチを有する複数の行Ｒと列Ｃを備える。行Ｒの画素ピッチは、列Ｃの画素ピッチと同じか又は異なってもよい。２つ以上の近接するタイル２３０〜２３６は相補形状特徴とタイル間に形成された継ぎ目を横切って画素ピッチを維持する画素配列を有する。
【００２７】
例えば、第１及び第２タイル基板２４０、２４２は相補形状を有し、最終組み立て後、それらの間に第１継ぎ目２５２を画定する。第１継ぎ目２５２は行Ｒに斜めである。また、上記説明に対応して、第１及び第２タイル２３０、２３２は第１継ぎ目２５２を横切る（行Ｒの方向及び列Ｃの方向の）画素ピッチは個々の各タイル２３０、２３２（従ってタイル張り状ディスプレイ２２０）の均一な画素ピッチと一致するように構成され、第１タイル２３０の画素４４及び第２タイル２３２の画素４４が互いに整列されている（例えば、指定された直線方向の画素ピッチの５０％以下、或いは３０％以下、或いは２０％以下、或いは１０％以下、或いは５％以下、そして幾つかの実施形態では１％以下の位置合わせ誤差）。同様の関係がタイル張り状ディスプレイ２２０の他の継ぎ目において確立される。また幾つかの継ぎ目は交わり、タイル張り状ディスプレイ２２０の交わる継ぎ目のいずれも行Ｒ又は列Ｃに平行な連続する直線継ぎ目又は線を作らない。
【００２８】
別の非限定実施形態のタイル張り状ディスプレイ３２０が図５に簡単化された形態で示されている。タイル張り状ディスプレイ３２０は、上記の説明に類似してよく、複数のタイル、例えば第１、第２、第３、及び第４タイル３３０、３３２、３３４、３３６を含む。タイル３３０〜３３６はそれぞれ上記記載に合致する基板、例えば基板３４０、３４２、３４４、３４６を含む。タイル３３０〜３３６は前述したディスプレイ技術のどれでも取り込むことができ、対応する基板３４０〜３４６の一部又は全てが複数の画素又は画素素子４４を載せている。例示の容易さのために、画素は第３及び第４タイル３３４、３３６には示されていない。タイル張り状ディスプレイ３２０の最終組み立て後、画素４４は集団としてアレイ３５０の形に配列され、アレイ３５０は上記のようにそれぞれ同じ均一な画素ピッチを有する複数の行Ｒと列Ｃを備える。行Ｒの画素ピッチは、列Ｃの画素ピッチと同じか又は異なってもよい。２つ以上の近接するタイル３３０〜３３６は相補形状特徴とタイル間に形成された継ぎ目を横切って画素ピッチを維持する画素配列を有する。
【００２９】
例えば、第１及び第２タイル基板３４０、３４２は相補形状を有し、最終組み立て後、それらの間に第１継ぎ目３５２を画定する。上記説明に対応して、第１及び第２タイル３３０、３３２は第１継ぎ目３５２を横切る（列Ｃの方向の）画素ピッチは個々の各タイル３３０、３３２（従ってタイル張り状ディスプレイ３２０）の均一な画素ピッチと一致するように構成され、第１タイル３３０の画素４４及び第２タイル３３２の画素４４が互いに整列されている（例えば、均一な画素ピッチの５０％以下の位置合わせ誤差）。同様の関係がタイル張り状ディスプレイ２２０の他の継ぎ目において確立されうる。また、幾つかの継ぎ目は交わり、タイル張り状ディスプレイ３２０の交わる継ぎ目のいずれも、行Ｒ又は列Ｃに平行な連続する直線継ぎ目又は線を作らない。
【００３０】
上記で説明した形状のいずれも、特定の基板材料に適切な既知の製造技術により対応する基板に取り込むことができる。例えば、所望の基板形状を作る方法は機械的スクライブ、レーザー切断、エッチング、熱形成などを含むことができる。また、説明した基板形状を作るために複数のプロセスを使用してもよい。例えば、基板は先ず機械的にスクライブされ、次にエッチングされうる。
【００３１】
基板縁輪郭
上記で説明した基板形状に加えて又は代わりに、本開示の幾つかの実施形態では、タイル張り状ディスプレイのタイルに取り込まれた相補的特徴は基板縁輪郭を含んでもよい。図２Ｂを参照して、「縁輪郭」は互いに反対側の主要面６０、６２間をＺ又は深さ方向に延びる基板縁６４、６６、６８のうちの１つ以上の形状を指す。図２Ｂの観点で、第１及び第３縁６４、６８の縁輪郭が最も顕著に見え、第１主要面６０の主要平面Ｐ１と第２主要面６２の主要平面Ｐ２とを基準に描写できる（幾つかの実施形態では、主要平面Ｐ１、Ｐ２は平行であることは理解されよう）。図２Ｂの構造で、第１縁６４の輪郭は、深さ方向Ｚの第１縁６４全体が主要面６０、６２の主要平面Ｐ１、Ｐ２に垂直であるような輪郭である。第３縁６８は同様な縁輪郭を有する（即ち、深さ方向Ｚに主要面６０、６２の主要平面Ｐ１、Ｐ２に完全に垂直である）。
【００３２】
上記の背景と対照に、本開示の他の実施形態では、タイル基板の深さ方向Ｚの縁の少なくとも１つの輪郭の少なくとも一部は、主要平面Ｐ１、Ｐ２の１つ又は両方に垂直でない（即ち、真に垂直な関係から少なくとも２度、或いは少なくとも３度、或いは少なくとも５度、そして幾つかの実施形態では少なくとも１０度のずれ）。例えば、本開示の原理に係る別の実施形態のタイル張り状ディスプレイ４００の一部が図６に簡単化された形態で示されている。タイル張り状ディスプレイ４００は、上記の説明に類似してよく、複数のタイル、例えば第１及び第２タイル４１０、４１２を含む。タイル４１０、４１２はそれぞれ上記記載に合致する基板、例えば基板４２０、４２２を含む。タイル４１０、４１２は前述したディスプレイ技術のどれでも取り込むことができ、対応する基板４２０、４２２は複数の画素又は画素素子４４を載せている。タイル張り状ディスプレイ４００の最終組み立て後、画素４４は集団としてアレイの形に配列され、そのアレイは上記のようにそれぞれ均一な画素ピッチを有する複数の行Ｒと列Ｃを備える。行Ｒの画素ピッチは、列Ｃの画素ピッチと同じか又は異なってもよい。近接する第１及び第２タイル４１０、４１２は相補形状特徴（例えば、縁輪郭特徴）とタイル間に形成された継ぎ目４２４を横切って均一な画素ピッチを維持する画素配列を有する。
【００３３】
第１タイル基板４２０は互いに反対側の第１及び第２主要面４３０、４３２と、主要面４３０、４３２間をＺ又は深さ方向に延びる第１縁４３４とを画定する。互いに反対側の主要面４３０、４３２はそれぞれ主要平面Ｐ１ａ、Ｐ２ａを画定する。第１縁４３４の縁輪郭全体が主要平面Ｐ１ａ、Ｐ２ａに垂直でない。例えば、第１縁４３４と第１主要面４３０との交差は鋭角を成し、第１縁４３４と第２主要面４３２との交差は鈍角を成す。第２タイル基板４２２も互いに反対側の第１及び第２主要面４４０、４４２と、主要面４４０、４４２間をＺ又は深さ方向に延びる第１縁４４４とを画定する。互いに反対側の主要面４４０、４４２はそれぞれ主要平面Ｐ１ｂ、Ｐ２ｂを画定する。第１縁４４４の縁輪郭全体が主要平面Ｐ１ｂ、Ｐ２ｂに垂直でない。また、第２タイル第１縁４４４の空間的姿勢は第１タイル第１縁４３４のそれと相補的である。例えば、第１縁４４４と第１主要面４４０との交差は鈍角を成し、第１縁４４４と第２主要面４４２との交差は鋭角を成す。図６の組み立て後の配置では、第１タイル第１縁４３４は第２タイル第１縁４４４と対向し継ぎ目４２４を画定し、第１縁４３４、４４４は概ね平行である（即ち、真に平行な関係から５度以内）。図６の配置で、第１タイル第１縁４３４は第２タイル第１縁４４４の上に重なっていると見ることができる。
【００３４】
図６は、幾つかの実施形態では、タイル張り状ディスプレイ４００の最終組み立て後、近接するタイル（例えば、第１及び第２タイル４１０、４１２）は互いに物理的に接触していない（例えば、第１タイル基板４２０と第２タイル基板４２２は互いと物理的に離れていて継ぎ目４２４は隙間又は間隔である）。下記で説明するように、材料をその隙間に配置又は詰めてもよい。他の実施形態では、最終組み立て後、タイル４１０、４１２は物理的に接触している。いずれにしても、相補的縁輪郭は隣接するタイル４１０、４１２の相補的合わせを可能にし、タイル張り状ディスプレイ４００の均一な画素ピッチは継ぎ目４２４を横切って維持される。相補的縁輪郭は画素４４及び／又は近接するタイル基板（例えば、第１タイル基板４２０と第２タイル基板４２２）の垂直位置合わせも可能にする。
【００３５】
本開示の原理に係る別の実施形態のタイル張り状ディスプレイ４５０の一部が図７に簡単化された形態で示されている。タイル張り状ディスプレイ４５０は、上記の説明に類似してよく、複数のタイル、例えば第１及び第２タイル４６０、４６２と１つ以上の枠要素、例えば枠要素４６４とを含む。タイル４６０、４６２はそれぞれ上記記載に合致する基板、例えば基板４７０、４７２を含む。タイル４６０、４６２は前述したディスプレイ技術のどれでも取り込むことができ、対応する基板４７０、４７２は複数の画素又は画素素子４４を載せている。タイル張り状ディスプレイ４５０の最終組み立て後、画素４４は集団としてアレイの形に配列され、そのアレイは上記のようにそれぞれ均一な画素ピッチを有する複数の行Ｒと列Ｃを備える。行Ｒの画素ピッチは、列Ｃの画素ピッチと同じか又は異なってもよい。近接する第１及び第２タイル４６０、４６２は相補形状特徴と、枠要素４６４と組み合わされてタイル間に形成された継ぎ目４７４（一般的に参照される）を横切って均一な画素ピッチを維持する画素配列を有する。
【００３６】
第１タイル基板４７０は互いに反対側の第１及び第２主要面４８０、４８２と、主要面４８０、４８２間をＺ又は深さ方向に延びる第１縁４８４とを画定する。互いに反対側の主要面４８０、４８２はそれぞれ主要平面Ｐ１ａ、Ｐ２ａを画定する。第１縁４８４の縁輪郭全体が主要平面Ｐ１ａ、Ｐ２ａに垂直でない。例えば、第１縁４８４と第１主要面４８０との交差は鋭角を成し、第１縁４８４と第２主要面４８２との交差は鈍角を成す。第２タイル基板４７２も互いに反対側の第１及び第２主要面４９０、４９２と、主要面４９０、４９２間をＺ又は深さ方向に延びる第１縁４９４とを画定する。互いに反対側の主要面４９０、４９２はそれぞれ主要平面Ｐ１ｂ、Ｐ２ｂを画定する。第１縁４９４の縁輪郭全体が主要平面Ｐ１ｂ、Ｐ２ｂに垂直でない。例えば、第１縁４９４と第１主要面４９０との交差は鋭角を成し、第１縁４９４と第２主要面４９２との交差は鋭角を成す。
【００３７】
枠要素４６４は第１縁４８４、４９４の相補的輪郭に応じてサイズと形状が決められている。図７の組み立て後の配置では、第１タイル第１縁４８４は第２タイル第１縁４９４と対向し継ぎ目４７４を画定する。枠要素４６４は継ぎ目４７４内に又は沿って配置され、第１及び第２タイル４６０、４６２を互いに対して維持する（例えば、第１及び第２タイル基板４７０、４７２を枠要素４６４に取り付けることができる）。相補的縁輪郭、対応する第１縁４８４、４９４に対する各タイル４６０、４６２の画素４４の配置、及び枠要素４６４より決まる縁４８４、４９４の互いに対する空間的配置が組み合わさって、継ぎ目４７４を横切って均一な画素ピッチを維持する（即ち、指定された直線方向に継ぎ目４７４の両側にある近接する画素４４間の中心間距離は各タイル４６０、４６２、従って、タイル張り状ディスプレイ４５０の指定された直線方向の確立された均一な画素ピッチと一致する）。
【００３８】
上述したように、本開示のタイル張り状ディスプレイは、近接するタイルが互いと間隔をあけて配置され、選択可能な相補的基板縁輪郭を取り込むことができる（例えば、図６及び図７の非限定実施形態）。他の実施形態では、最終組み立て後、相補的輪郭の縁を有するタイルは、境界の長い長さに沿って又は個別の位置で互いに接触してもよい。例えば、本開示の原理に係る別の実施形態のタイル張り状ディスプレイ５００の一部が図８に簡単化された形態で示されている。タイル張り状ディスプレイ５００は、上記の説明に類似してよく、複数のタイル、例えば第１及び第２タイル５１０、５１２を含む。タイル５１０、５１２はそれぞれ上記記載に合致する基板、例えば基板５２０、５２２を含む。タイル５１０、５１２は前述したディスプレイ技術のどれでも取り込むことができ、対応する基板５２０、５２２は複数の画素又は画素素子４４を載せている。タイル張り状ディスプレイ５００の最終組み立て後、画素４４は集団としてアレイの形に配列され、そのアレイは上記のようにそれぞれ均一な画素ピッチを有する複数の行と列を備える。行の画素ピッチは、列の画素ピッチと同じか又は異なってもよい。近接する第１及び第２タイル５１０、５１２は相補形状特徴と、タイル間に形成された継ぎ目５２４を横切って均一な画素ピッチを維持する画素配列を有する。
【００３９】
第１タイル基板５２０は互いに反対側の第１及び第２主要面５３０、５３２と、主要面５３０、５３２間をＺ又は深さ方向に延びる第１縁５３４とを画定する。互いに反対側の主要面５３０、５３２はそれぞれ主要平面Ｐ１ａ、Ｐ２ａを画定する。第１縁５３４の縁輪郭の少なくとも一部が主要平面Ｐ１ａ、Ｐ２ａに垂直でない。例えば、第１縁５３４は図示のように丸い又は「弾丸」形状の輪郭を有してもよい。第２タイル基板５２２も互いに反対側の第１及び第２主要面５４０、５４２と、主要面５４０、５４２間をＺ又は深さ方向に延びる第１縁５４４とを画定する。互いに反対側の主要面５４０、５４２はそれぞれ主要平面Ｐ１ｂ、Ｐ２ｂを画定する。図８の実施形態では、第２タイル第１縁５４４の縁輪郭は主要平面Ｐ１ｂ、Ｐ２ｂに垂直である（第２タイル基板５２２の反対側の第２縁５４６は上記のように丸い輪郭を有してもよいことは理解されよう）。
【００４０】
図８の組み立て後の配置では、第１タイル第１縁５３４は第２タイル第１縁５４４と対向し継ぎ目５２４を画定する。幾つかの実施形態では、タイル５１０、５１２は第１タイル第１縁５３４が第２タイル第１縁５４４に当接するか又は接触するように構成されている。相補的縁輪郭は隣接するタイル５１０、５１２の相補的合わせを可能にする。相補的合わせと対応する基板第１縁５３４、５４４に対する画素４４の配置が組み合わさって、境界の長さに沿って連続に又は個別の位置で継ぎ目５２４を横切って均一な画素ピッチを維持する。これに関して、図８は対応する第１縁５３４に最も近い第１タイル５１０の第１画素４４ａと、対応する第１縁５４４に最も近くタイル張り状ディスプレイ５００の最終組み立て後、第１画素４４ａと位置合わせ又は整列される第２タイル５１２の第２画素４４ｂとを識別する（即ち、第１及び第２画素４４ａ、４４ｂは継ぎ目５２４の両側にある近接する画素である）。第１タイル第１縁５３４の丸い輪郭により、第１画素４４ａを第１タイル第１縁５３４の終端面（従って、結果としての継ぎ目５２４）に非常に接近して配置することは可能でないかもしれない。逆に、第２タイル第１縁５４４の縁輪郭は第２画素４４ｂが縁５２４に非常に接近して配置されることを許す。この選択可能な構造で、第１画素４４ａと継ぎ目５２４との距離は第２画素４４ｂと継ぎ目５２４との距離と異なり、第１及び第２タイル５１０、５１２は、指定された直線方向に継ぎ目５２４の両側における近接する画素４４ａ、４４ｂ間の中心間距離が各タイル５１０、５１２、従ってタイル張り状ディスプレイ５００の指定された直線方向の確立された均一な画素ピッチと一致するように構成されている。
【００４１】
本開示の原理に係る別の実施形態のタイル張り状ディスプレイ５５０の一部が図９に簡単化された形態で示されている。タイル張り状ディスプレイ５５０は、上記の説明に類似してよく、複数のタイル、例えば第１及び第２タイル５６０、５６２を含む。タイル５６０、５６２はそれぞれ上記記載に合致する基板、例えば基板５７０、５７２を含む。タイル５６０、５６２は前述したディスプレイ技術のどれでも取り込むことができ、対応する基板５７０、５７２は複数の画素又は画素素子４４を載せている。タイル張り状ディスプレイ５５０の最終組み立て後、画素４４は集団としてアレイの形に配列され、そのアレイは上記のようにそれぞれ均一な画素ピッチを有する複数の行と列を備える。行の画素ピッチは、列の画素ピッチと同じか又は異なってもよい。近接する第１及び第２タイル５６０、５６２は相補形状特徴と、指定された直線方向にタイル間に形成された継ぎ目５７４を横切って均一な画素ピッチを維持する画素配列を有する。
【００４２】
第１タイル基板５７０は互いに反対側の第１及び第２主要面５８０、５８２と、主要面５８０、５８２間をＺ又は深さ方向に延びる第１縁５８４とを画定する。互いに反対側の主要面５８０、５８２はそれぞれ主要平面Ｐ１ａ、Ｐ２ａを画定する。第１縁５８４の縁輪郭の少なくとも一部が主要平面Ｐ１ａ、Ｐ２ａに垂直でない。例えば、第１縁５８４は段付き形状の輪郭を有し、突出ヘッド５８６を形成してもよい（例えば、ヘッド５８６は第１主要面５８０の続きを表し、ヘッド５８６の厚み又はＺ方向寸法は主要面５８０、５８２間の基板の厚みより小さい）。第２タイル基板５７２も互いに反対側の第１及び第２主要面５９０、５９２と、主要面５９０、５９２間をＺ又は深さ方向に延びる第１縁５９４とを画定する。互いに反対側の主要面５９０、５９２はそれぞれ主要平面Ｐ１ｂ、Ｐ２ｂを画定する。第１縁５９４の縁輪郭の少なくとも一部は主要平面Ｐ１ｂ、Ｐ２ｂに垂直でない。特に、第２タイル第１縁５９４は第１タイル第１縁５８４のそれと相補の段付き形状の輪郭を有し、突出フロア５９６を形成してもよい。
【００４３】
タイル張り状ディスプレイ５５０の最終組み立て後、第１タイル第１縁５８４は第２タイル第１縁５９４と対向し継ぎ目５７４を画定し、ヘッド５８６とフロア５９６は、ヘッド５８６がフロア５９６の上に重なり接触するようにサイズと形状が決められている。相補的縁輪郭は隣接するタイル５６０、５６２の相補的合わせと画素４４の垂直位置合わせとを可能にする。また、この相補的合わせと対応する基板第１縁５８４、５９４に対する画素４４の配置が組み合わさって、上記説明に合致する指定された直線方向に継ぎ目５７４を横切って均一な画素ピッチを維持する。
【００４４】
本開示の原理に係る別の実施形態のタイル張り状ディスプレイ６００の一部が図１０に簡単化された形態で示されている。タイル張り状ディスプレイ６００は、上記の説明に類似してよく、複数のタイル、例えば第１及び第２タイル６１０、６１２を含む。タイル６１０、６１２はそれぞれ上記記載に合致する基板、例えば基板６２０、６２２を含む。タイル６１０、６１２は前述したディスプレイ技術のどれでも取り込むことができ、対応する基板６２０、６２２は複数の画素又は画素素子４４を載せている。タイル張り状ディスプレイ６００の最終組み立て後、画素４４は集団としてアレイの形に配列され、そのアレイは上記のようにそれぞれ均一な画素ピッチを有する複数の行と列を備える。行の画素ピッチは、列の画素ピッチと同じか又は異なってもよい。近接する第１及び第２タイル６１０、６１２は相補形状特徴と、指定された直線方向にタイル間に形成された継ぎ目６２４を横切って均一な画素ピッチを維持する画素配列を有する。
【００４５】
第１タイル基板６２０は互いに反対側の第１及び第２主要面６３０、６３２と、主要面６３０、６３２間をＺ又は深さ方向に延びる第１縁６４４とを画定する。互いに反対側の主要面６３０、６３２はそれぞれ主要平面Ｐ１ａ、Ｐ２ａを画定する。第１縁６３４の縁輪郭の少なくとも一部が主要平面Ｐ１ａ、Ｐ２ａに垂直でない。例えば、第１縁６３４の輪郭はスロット６３６を形成してもよい。第２タイル基板６２２も互いに反対側の第１及び第２主要面６４０、６４２と、主要面６４０、６４２間をＺ又は深さ方向に延びる第１縁６４４とを画定する。互いに反対側の主要面６４０、６４２はそれぞれ主要平面Ｐ１ｂ、Ｐ２ｂを画定する。第１縁６４４の縁輪郭の少なくとも一部は主要平面Ｐ１ｂ、Ｐ２ｂに垂直でない。特に、第２タイル第１縁６４４の輪郭はリブ６４６を形成してもよい。スロット６３６とリブ６４６は相補的構成を有してよい。
【００４６】
タイル張り状ディスプレイ６００の最終組み立て後、第１タイル第１縁６３４は第２タイル第１縁６４４に対向し第１縁６２４を画定し、リブ６４６はスロット６３６内に嵌る。相補的縁輪郭は隣接するタイル６１０、６１２の相補的合わせと画素４４の垂直位置合わせとを可能にする。縁６３４、６４４は互いに物理的に接触していてもいなくてもよい。また、相補的合わせと対応する基板第１縁６３４、６４４に対する画素４４の配置が組み合わさって、上記説明に合致する指定された直線方向に継ぎ目６２４を横切って均一な画素ピッチを維持する。
【００４７】
図６〜図１０に関して上記で説明した相補的基板縁輪郭は、本開示で考案された選択可能な縁輪郭の少数の非限定例である。基板縁輪郭は正方形、丸い、角のある、又は非直線輪郭であってよい。また、特定の基板の全ての縁は同じ輪郭を有していてもいなくてもよい。幾つかの実施形態では、縁輪郭の１つ以上が追加の被膜を有し物理的接触及び／又は光学効果に対処してもよい。縁輪郭を特定の基板に種々の方法で取り込むことができる。例えば、本開示の縁輪郭を作る幾つかの方法は、機械的スクライブ、レーザー切断、エッチング、熱形成、研削などを含む。また、所望の縁輪郭を作るために複数のプロセスを使用してもよい。例えば、基板は先ず機械的にスクライブされ、次にエッチングされる。上記のように、タイル張り状ディスプレイの近接するタイルの基板に載せられた画素（例えば、発光素子）は外周に沿った対応する基板縁から異なる距離に配置されうる。例えば、幾つかの実施形態では、この構成は使用される縁輪郭形成プロセスに依っては有用でありうる。例えば、２つの機械的にスクライブされた縁及び２つの研削された縁を持つ単一のタイル基板は、実際の基板縁から異なる距離に配置された画素（例えば、マイクロＬＥＤ）を有してもよい。近接するタイルが組み立てられても、タイル間画素ピッチは維持される。
【００４８】
基板切断／形成プロセス
上記のように、様々な手法を使用して選択可能な基板形状及び／又は基板縁輪郭を特定の基板に取り込むことができる。幾つかの実施形態では、１つ又は両方の特徴を非回折ビーム切断により作ることができる。非回折ビーム切断技術を使用して、本開示のタイルで有用なガラス基板をレーザー切断又はレーザー切断及び化学エッチングして上記の正確なタイル形状及び／又は輪郭と寸法とを形成できる。非回折ビーム切断は、例えば米国特許出願公開第２０１４／０１９９５１９号明細書、名称「Ｍｅｔｈｏｄ  ａｎｄ  Ｄｅｖｉｃｅ  ｆｏｒ  ｔｈｅ  Ｌａｓｅｒ−Ｂａｓｅｄ  Ｍａｃｈｉｎｉｎｇ  ｏｆ  Ｓｈｅｅｔ−Ｌｉｋｅ  Ｓｕｂｓｔｒａｔｅｓ」に記載されている。この教示全体を本明細書に引用する。これら及び他のプロセスにより、大きな基板シート（５００ｍｍ超の寸法）を横切って２０μｍ未満の寸法精度で又はより小さなシート（１００ｍｍのオーダーの寸法）を横切って１０μｍ未満の寸法精度でタイル基板を切り出することが可能である。このような精度は近接するタイル間の位置誤差を画素ピッチの５０％未満（２００μｍ以下のオーダーでありうる）に収めるのに重要でありうる。この選択可能なレーザープロセスをガラス基板に使用すると、ガラス切断縁には通常、基板の全厚みに亘る細い垂直な筋であって、２〜２５μｍの範囲の筋間ピッチを持つ筋ができる場合がある。また、これらの同じレーザー切断プロセス又はレーザー切断＋酸エッチプロセスは、より複雑な縁輪郭特徴、例えば図９及び図１０などに描かれた特徴を作るのに使用できる。
【００４９】
更に他の実施形態では、レーザー穿孔及び化学エッチングの関連プロセスを使用して選択可能な所望の特徴を本開示のタイル基板に作ることができる。例えば、上述したように、幾つかのディスプレイ技術において、１つ以上の穴をタイル基板の厚みを通して形成することが望ましいかもしれない（例えば、基板を通しての金属被覆及び電気信号伝導を可能にするガラス貫通孔）。或いは又は加えて、部分並進配置又は回転方向付け用の位置合わせ孔を設けるのが望ましい場合がある。エッチングされる部品の場合、レーザー形成プロセスの跡が明白であるかもしれないが、当業者には明白なように、エッチングプロセスにより変えられる。
【００５０】
組み立ての方法
タイル張り状ディスプレイを複数のタイルから組み立てるために様々な方法を使用できる。本開示の幾つかの実施形態では、例えば図６に表されるように、近接するタイル間の物理的分離を作る方法でタイルを組み立てることができる。重合体又は他の物理的スペーサーをこの物理的分離内に配置してもよい。タイル基板間の隙間内の物質は、対応する継ぎ目を光学的に可視化する光を最少にする光学的機能を果たしてもよい。光学的効果は屈折率整合材料又は黒基質材料を含んでもよい。タイル基板間の隙間内の重合体などの軟材料はまた、タイルが互いに接触して配置される時に欠け又は他の信頼性を損なう欠陥を防ぐクッションとして働くよう構成されうる。タイルの縁を囲うこのような材料は個々のタイルに事前に付けられても、組み立て後に多タイルディスプレイ内に装着してもよい。また、タイル基板間のその材料は接着剤であっても又は含んでもよい。
【００５１】
タイルが物理的に互いから離されている否かに拘らず、本開示の幾つかの方法は、タイル張り状ディスプレイの裏側に重なる回路基板又は機械的実装が存在するようにタイルを配置することを含む。裏側のこれらの重なる回路基板又は機械的実装は、タイル張り状ディスプレイを成す全ての組み立てたタイルの下全体に延びる必要はないが、少なくとも２つの近接するタイル部分に亘って延びるべきである。また、タイルの機械的位置合わせは様々なやり方、例えばアライメントピン及び貫通孔により達成されうる。関連する実施形態では、運動学的実装又は結合を提供してもよい。例えば、図１１は本開示の幾つかの方法に係るタイル張り状ディスプレイの組み立ての一部として基板６５０の基準シート６５２への運動学的実装を簡単化された形態で例示している。基板６５０が前述の構造のどれでも持ちうるタイル６５４の一部として提供される（例えば、基板６５０は複数の画素（不図示）を載せている）。基板６５０は概ね前述したどの構成を取ってもよい。図１１の実施形態では、１つ以上のアライメント特徴、例えば第１及び第２アライメント溝６６０、６６２が基板６５０の主要面６５６に形成されている。結果としてのタイル張り状ディスプレイの期待される寸法に応じて基準シート６５２は寸法及び形状が決められうる（即ち、タイル張り状ディスプレイの製作において組み立てられる複数のタイルは全て基準シート６５２上に配置される）。基準シート６５２は組み立てられたタイル張り状ディスプレイ全体に亘って延びていても、又はタイル張り状ディスプレイを成す全ての組み立てたタイルの下全体に延びていなくてもよい（しかし、少なくとも２つの近接するタイルの部分に亘って延びている）。本開示の幾つかの方法では、基準シート６５２は１つ以上の基準特徴、例えば基板６５０のアライメント特徴に対応する第１及び第２基準溝６７２、６７４を含む又は提供する基準表面６７０を画定する。アライメント溝６６０、６６２と基準溝６７２、６７４とはほぼ類似の形状及び寸法であり、下記で明らかにされる理由でそれぞれピン６８０、６８２の一部を受けるよう概ね構成されている。
【００５２】
図１１の構成で、タイル張り状ディスプレイの製造は、複数のタイル６５４を基準シート６５２に組み付けることを含んでよい。各タイル６５４の基準シート６５２に対する（及び互いに対する）配置はピン６８０、６８２との接続により決まる。例えば、各タイル６５４の基準シート６５２上への配置の前に、ピンが基準溝に装填される（例えば、ピン６８０、６８２がそれぞれ基準溝６７２、６７４に装填される）。次にタイル６５４は、ピン６８０、６８２がアライメント溝６６０、６６２内に受け入れられるように基準シート６５２上に空間的に配列及び配置される。同じ工程が残りのタイルに対して繰り返されてタイル張り状ディスプレイを完成させる。これを考えると、基準／アライメント特徴及びピンは、深さ（Ｚ）方向と表示平面（図１のＸＹ平面）内でタイルの互いに対するアライメント又は位置合わせの一方又は両方に対処するように構成されてもよい。深さ方向の位置合わせは各アライメント溝６６０、６６２の形状と各基準溝６７２、６７４の形状とを各ピン６８０、６８２の直径と関連させることで可能となりうる。基準溝６７２、６７４は基準シート６５２に正確に形成され、対応するピン６８０、６８２は基準表面６７０を超えて所定の距離突出する。アライメント溝６６０、６６２は、対応するピン６８０、６８２と位置合わせされてその上に配置されると、基板６５０は基準シート６５２の上方、所定の距離（深さ又はＺ方向の）に支持及び維持されるように、基板６５０に正確に形成される。残りのタイルは基準シート６５２からこの同じ所定の距離に同様に支持及び維持される。従って、タイル張り状ディスプレイのタイルは集団として深さ方向に位置合わせされる。
【００５３】
表示平面（図１のＸＹ平面）内でタイル張り状ディスプレイのタイルのアライメント又は位置合わせは、各タイル基板６５０に外周形状に対する基板上の画素マトリックスの期待される配置に対して所定の空間位置（ＸＹ平面内の）にアライメント溝６６０、６６２を形成することで可能になりうる。基準溝（例えば、基準溝６７２、６７４）は、集団としてタイル張り状ディスプレイを形成する全タイルのそれぞれの外周形状と所望のタイル間位置合わせとに対応する所定の空間位置において基準シート６５２に形成されている。これに関して、タイル張り状ディスプレイの近接するタイルはそれぞれ期待される外周形状とこの外周形状に対する期待される画素マトリックス配置を有するであろう。この理解に基づいて、基準溝はこれから形成されるタイル張り状ディスプレイの全てのタイルに備えるパターンに配置されており、各タイルのアライメント溝はそのパターンに従って対応するタイルに沿った位置に形成される。非限定例として、図１２Ａは第１及び第２基準溝６７２、６７４を含む基準シート６５２の簡単化された図である（多くても少なくても任意の他の数の基準溝を同様に許容できることは理解されよう）。上述のように、ピン（不図示）が各基準溝６７２、６７４に配置されている。複数のタイル６９０（一般的に参照される）も基準シート６５２上に組み付けるために準備されている。各タイル６９０の基板には、基準シート６５２の対応する基準溝６７２、６７４と位置合わせ又は嵌め合わせされる時に対応する画素マトリックスを所定の位置に配置するよう配列されたアライメント溝が形成される。例えば、第１タイル６９０ａの場合、第１及び第２アライメント溝６９２、６９４が例示されている。アライメント溝６９２、６９４は基準溝６７２、６７４とそれぞれ対応するように、また基準シート６５２上に配置された時に第１タイル６９０ａが基準シート６５２に対して既知の向きに配置されるように配置及び配列される（即ち、アライメント溝６９２、６９４の基準溝６７２、６７４との位置合わせにより決まる基準シート６５２に対する第１タイル６９０ａの既知の向きが図１２Ａに想像線で示されている。この既知の向きに基づき、第１タイル６９０ａの画素４４（一般的に参照される）は、第１タイル６９０ａの基準シート６５２上への組み付け後に画素４４が基準シート６５２に対して所定で所望の状態に空間的配列されているようにアライメント溝６９２、６９４に対して（又は逆に）及び第１タイル６９０ａの外周形状に対して（又は逆に）配列及び配置される。
【００５４】
図１２Ｂは、第１タイル６９０ａと第２及び第３タイル６９０ｂ、６９０ｃとが基準シート６５２上に組み付けられた部分的に組み立てられた状態を例示する。上記説明に対応して、各タイル６９０ａ〜６９０ｃの基板のアライメント溝（隠れている）は対応する基準溝６７２、６７４と嵌め合わせ又は位置合わせされる。この調和配置の結果として、画素４４（一般的に参照される）と第１〜第３タイル６９０ａ〜６９０ｃの縁とは表示（ＸＹ）平面内で位置合わせ及び整列される。残りのタイル６９０ｄ〜６９０ｆも同様に基準シート６５２上に組み付けられ、図１２Ｃに示した完成したタイル張り状ディスプレイ６９６ができる。
【００５５】
図１１〜図１２Ｃにより間接的に示された組み立て方法において、基準シート６５２は一時的使用用に構成されうる。基準シート６５２上に組み付けられた後、タイルは互いに付着又は別の方法で固定され、次に基準シート６５２から取り外されうる。これら及び類似の手法で、タイル張り状ディスプレイの動作について心配することなく、基準シート６５２は種々の形態を取りうるし、様々な材料から形成されうる。他の実施形態では、基準シート６５２は最終のタイル張り状ディスプレイの永久部分として働くように構成され、適切な機械的、電気的、及び／又は光学的特性を有してもよい（例えば、基準シート６５２はタイル張り状ディスプレイのカバーシート又は板として働き強化ガラスであってもよい）。タイル張り状ディスプレイがバックライトである幾つかの実施形態では、基準シート６５２は少なくとも２つの近接するバックライトタイルの部分上に延びる関連する液晶セルであってもよい。基準シート６５２はタイル張り状ディスプレイ全体に亘って延びる一枚シートであってもよい。或いは、複数の基準シート６５２が表示タイルの組み付けに使用されてもよい。関連する実施形態では、基準シート６５２自体がタイル張り状であってもよい。
【００５６】
本開示の選択可能な運動学的実装技術及び方法は他の形態を取りうる。例えば、図１３は本開示の幾つかの方法に係るタイル張り状ディスプレイの形成における基板７００の基準シート７０２への運動学的実装を簡単化された形態で例示している。基板７００が上記の構造のどれでも持ちうるタイル７０４の一部として提供される（例えば、基板７００は複数の画素（不図示）を載せている）。基板７００は概ね前述したどの構成を取ってもよい。図１３の実施形態では、１つ以上のアライメント特徴、例えば第１及び第２突起７１０、７１２が基板７００の主要面７０６に形成されている（多くても少なくても任意の他の数の突起を同様に許容できる）。結果としてのタイル張り状ディスプレイの期待される寸法に応じて基準シート７０２は寸法及び形状が決められうる（即ち、タイル張り状ディスプレイを製作するのに組み立てられる複数のタイルは全て基準シート７０２上に配置される）。本開示の幾つかの方法では、基準シート７０２は１つ以上の基準特徴、例えば基板７００のアライメント特徴に対応する第１及び第２基準溝７２２、７２４を含むか提供する基準表面７２０を画定する。突起７１０、７１２は対応する基準溝７２２、７２４に受け入れられ支持されるように構成されている。幾つかの実施形態では、基準表面７２０は、各溝７２２、７２４に外接し突起７１０、７１２を対応する溝７２２、７２４との完全係合に導くように働く隆起又は類似の構造を更に含んでもよい。図１１〜図１２Ｃに関する上記説明と同様に、２つ以上のタイル（例えば、タイル７０４）が溝（例えば、溝７２２、７２４）のパターンと突起（例えば、突起７１０、７１２）と溝との接続とにより決まる所定の位置において基準シート７０２上に組み付けられ、深さ（Ｚ）方向と表示平面（図１のＸＹ平面）内でタイル間アライメント又は位置合わせの一方又は両方が得られる。
【００５７】
図１１〜図１３の実施形態では、タイル間位置合わせは近接するタイルの縁間の直接整合接触に依ることなく達成できる。同じ方針に沿って、本開示の原理に係る他のタイル張り状ディスプレイ組み立て方法が図１４の簡単化された図例に反映されている。図１４ではタイル張り状ディスプレイ７５４の形成において複数のタイル、例えば、タイル７５０ａ、７５０ｂ、７５０ｃが基準シート７５２に実装される。各タイル７５０ａ、７５０ｂ、７５０ｃは上記のいずれの形態も取ることができ（例えば、前述したディスプレイ技術のどれでも取り込むことができる）、概ね直線の縁と概ね矩形の輪郭又は任意の他の形状とを有する均一な矩形のタイルでありうる。また、各タイル７５０ａ、７５０ｂ、７５０ｃは複数の画素４４を載せた基板７６０ａ、７６０ｂ、７６０ｃを含む。基板７６０ａ、７６０ｂ、７６０ｃも上述した構造のどれでも有することができ、幾つかの実施形態では、寸法安定特性を有するように構成される、例えばガラス、ガラスセラミック、又はセラミック。各タイル７５０ａ、７５０ｂ、７５０ｃは１つ以上のアライメント特徴を更に含む。下記にもっと詳細に説明されるように、アライメント特徴は対応するタイル７５０ａ〜７５０ｃのいずれの外周縁とも別に提供される（即ち、図１４の実施形態に関連するタイルアライメント特徴は対応する基板７６０ａ〜７６０ｃの縁でもないし対応するタイル７５０ａ〜７５０ｃのいずれの他の外周縁でもない）。結果としてのタイル張り状ディスプレイ７５４の期待される寸法に応じて基準シート７５２は寸法及び形状が決められ、基準表面７７０を提供する。基準表面７７０は全て組み付けられタイルに亘って延びているか、又は少なくとも２つの近接するタイルの少なくとも一部を覆っていてもよい。基準表面７７０自体がタイル張り状であってもよい。一般的に言うと、タイル張り状ディスプレイ７５４の製造は各タイル７５０ａ〜７５０ｃを個別に基準表面７７０上に配置することと、タイル７５０ａ〜７５０ｃを基準表面７７０に沿って移動してタイル７５０ａ〜７５０ｃを概ね互いに最も近くに近接するタイル状に配置することと、対応するアライメント特徴を位置合わせすることで近接するタイルの画素４４を位置合わせすることとを含む。図１４の組み立て方法は、近接するタイル（例えば、近接する第１及び第２タイル７５０ａ、７５０ｂと近接する第２及び第３タイル７５０ｂ、７５０ｃ）間の直接表示平面（図１のＸＹ平面）内での画素４４の位置合わせ又はアライメントを実現する。組み立て及び画素位置合わせは近接するタイル間の縁間接触に依拠していない。タイル７５０ａ〜７５０ｃの縁に基づく位置合わせは必要でない。代わりに、画素位置合わせは各基板７６０ａ〜７６０ｃ上に正確に配置又は作られた特徴に基づいていて、縁位置又は形状変動に依存しない。従って、タイル縁の直線性又は粗さの必然的統計的変動はどれも所望の画素位置合わせに影響しない。
【００５８】
各タイル７５０ａ〜７５０ｃに設けられたアライメント特徴は様々な形態を取りうる。例えば、各タイル７５０ａ〜７５０ｃに設けられた１つ以上の画素４４はアライメント特徴として働きうる。これに関して、タイル７５０ａ〜７５０ｃがマイクロＬＥＤ又はＬＥＤディスプレイ技術を取り込む（例えば、図１４の各画素４４が１つ以上のマイクロＬＥＤ又はＬＥＤを備える）場合、特定のタイルのアライメント特徴として指定された単一又は複数のマイクロＬＥＤ（又はＬＥＤ）は組み立てプロセス中に点灯され（電気的又は光学的に励起され）うる。これら及び関連する実施形態では、近接する第１及び第２タイル７５０ａ、７５０ｂの画素４４を位置合わせするステップは各タイル７５０ａ、７５０ｂの選択された１つ以上のマイクロＬＥＤ画素４４を点灯し、次に光学的に点灯マイクロＬＥＤ画素４４を整列させることを含む。各タイル７５０ａ〜７５０ｃに設けられたアライメント特徴は他の形態、例えばＴＦＴ内の構造体（備えられた場合）又は電子相互接続パターン、パターン形成された位置合わせマークなどを取りうる。アライメント特徴は下記に説明する視覚システム及び能動アライメント方法と組み合わせて使用するために作られてもよい。或いは、アライメント特徴はタイルの感受性アライメントを可能にする上記のような物理的運動学的構造体であってもよい。いずれにしも、上記のように、図１４の実施形態に関連するアライメント特徴は対応するタイル７５０ａ〜７５０ｃの外周縁以外の何かである。
【００５９】
アライメント特徴とは別に、図１４の実施形態に示されたタイル（例えば、タイル７５０ａ〜７５０ｃ）は上記の構造のどれでも有することができる。タイルは矩形、六角形、三角形、又は互いに組み付けられた時に結果としての画素アレイ内に空きを残さない任意の他の形状を有してもよい。組み立てられたタイル張り状ディスプレイ全体内の個々のタイルの全てが同じ形状又は寸法を有していてもいなくてもよい。幾つかの実施形態では、個々のタイルは、結果としてのタイル張り状ディスプレイ７５４の所望の外形寸法に対して意図的に小さく作られている。例えば、各タイル７５０ａ〜７５０ｃと特に対応する各基板７６０ａ〜７６０ｃとは理論上同じ長さ（Ｘ方向）を有するように設計されている。合計基板長さ（Ｘ方向）は結果としてのタイル張り状ディスプレイ７５４の所望の長さ（Ｘ方向）より小さく設計されている。言い換えると、タイル７５０ａ〜７５０ｃは、最終組み立て後に、近接するタイルは互いから僅かに離れているように設計されている（例えば、図１４の図例において、第１及び第２タイル７５０ａ、７５０ｂの対向する縁は継ぎ目７８０において互いから離されている）。この選択可能な手法により、近接するタイルに亘る（例えば、継ぎ目７８０を横切る）所望の画素位置合わせは、タイル縁（例えば、基板７６０ａ〜７６０ｃの縁）の期待される直線性及び／又は粗さ特性の必然的変動による悪影響を受けない。他の実施形態では、近接するタイルは互いに接触していてもよい。
【００６０】
基準シート７５２は本明細書に記載された組み立て方法を推進する（例えば、タイル７５０ａ〜７５０ｃを基準表面７７０に沿って移動させる（例えば、滑らせる））のに適切な様々な形態を取りうる。例えば、基準シート７５２は連続体（例えば、ガラスシート）であっても、又は不連続枠構造体であってもよい。基準シート７５２は、基板７６０ａ〜７６０ｃの厚み（深さ方向）と同じ厚みであっても、より薄くても、又はより厚くてもよい。幾つかの実施形態では、基準表面７７０に接触したまま、タイル７５０ａ〜７５０ｃを移動させる（又は移動させない）のを助けるために、基準表面７７０は相対摩擦に所望のように影響する材料で形成又は被覆されてもよい。例えば、ＳＡＭ（自己集合単分子層）などの低摩擦係数被膜を基準表面７７０に付着させて基準表面７７０に対するタイル７５０ａ〜７５０ｃの滑りを助ける（例えば、基板７６０ａ〜７６０ｃとの低摩擦滑る接点）。或いは又は加えて、１つ以上のタイル基板７６０ａ〜７６０ｃは、基準表面７７０との摩擦接点に所望のように影響する被膜又は材料を有してもよい。幾つかの実施形態では、基準シート７５２は、個々のタイル７５０ａ〜７５０ｃの基準表面７７０に対する期待される配置と対応する位置に配置された１つ以上の位置合わせ特徴（不図示）を更に含んでもよい。これら及び関連する実施形態では、本開示の方法は、対応するタイル７５０ａ〜７５０ｃのアライメント特徴を位置合わせ特徴とそれぞれ位置合わせすることでタイル対基準表面アライメントを行うことを（例えば、近接するタイルの粗いアライメントは、基準シート７５２の位置合わせ特徴とのアライメントにより行われ、次に近接するタイルのアライメント特徴のアライメントによる細かいアライメントが行われうる）選択可能に更に含んでもよい。
【００６１】
上記説明に示された幾つかのタイル張り状ディスプレイ組み立て方法は、先ず、タイルを個別に基準表面７７０上に配置することと、次に、対応するアライメント特徴によりタイル（特に画素）を１つずつ位置合わせすることとを含む。例えば、図１５Ａは、第１及び第２タイル７５０ａ、７５０ｂを基準表面７７０上に配置した組み立ての初期段階を表す。幾つかの実施形態では、タイル７５０ａ、７５０ｂの曲げ剛性（例えば、対応する基板７６０ａ、７６０ｂの曲げ剛性、図１４）に依り、タイル７５０ａ、７５０ｂを基準表面７７０に転がす／曲がった、垂直、水平、又は組み合わせた動きで導くことができる。いずれにしても、次に第１及び第２タイル７５０ａ、７５０ｂが互いに近接し第１タイル７５０ａの縁が第２タイル７５０ｂの縁と対向してその間に継ぎ目７８０を図１５Ｂに示すように概ね作るように第２タイル７５０ｂを第１タイル７５０ａに対して（及び／又は逆に）移動させる（例えば、基準表面７７０に沿って滑らせる）。上記のように、幾つかの実施形態では、タイル７５０ａ、７５０ｂの粗いアライメントは、基準シート７５２に選択可能に設けられた基準特徴（不図示）を参照して行うことができる。基準表面７７０上のアライメント特徴は最終タイルアライメントにも使用できる。或いは、幾つかの実施形態では、粗いアライメントはタイル７５０ａ、７５０ｂの縁間の物理的接触により促進されうる。組み立てのこの段階で、第１及び第２タイル７５０ａ、７５０ｂの画素４４は互いに位置合わせされていてもいなくてもよい。加えて、次に第１及び第２タイル７５０ａ、７５０ｂのアライメント特徴が第１タイル７５０ａの画素４４を第２タイル７５０ｂの画素４４と位置合わせするようにアライメントされる。例えば、図１５Ｃは第１タイル７５０ａのアライメント特徴７９０ａと第２タイル７５０ｂのアライメント特徴７９０ｂとを例示する。この非限定例のアライメント特徴７９０ａ、７９０ｂはそれぞれのタイル７５０ａ、７５０ｂに設けられた画素４４のうち選択された画素である。アライメント特徴７９０ａ、７９０ｂは特定され（例えば、各アライメント特徴７９０ａ、７９０ｂを構成する画素は点灯される）、次に整列させられる（例えば、光学的に整列させられる）。このアライメントステップに続いて、第１及び第２タイル７５０ａ、７５０ｂの画素４４は、各タイル７５０ａ、７５０ｂで確立された均一な画素ピッチに一致する継ぎ目７８０を横切る画素ピッチを含めて、互いに位置合わせされる。次に第３タイル７５０ｃ（図１４）が基準表面７７０上に配置され第２タイル７５０ｂに対して同様に位置合わせされうる。幾つかの実施形態では、複数の個々のタイルが基準表面７７０上に配置され、次に機械的／機械視覚システムを使用して並行組み立てプロセスで複数のタイルのアライメントを実行する。全体として、タイル７５０ａ〜７５０ｃの位置合わせはタイル間アライメント特徴及び／又はタイル対基準シートアライメント特徴の使用により実行されうる。
【００６２】
図１４を参照すると、アライメント及び位置合わせされた後、タイル（例えば、タイル７５０ａ〜７５０ｃ）は互いに固定されタイル張り状ディスプレイ７５４を完成させる。３つのタイル７５０ａ〜７５０ｃがそれらの間の物理的分離を作るように組み付けられる場合、物理的分離は上記のように機械的接触を防ぐ重合体又は他の物理的スペーサー要素を有してもよい。幾つかの実施形態では、基準シート７５２は一時的使用用に構成されうる。基準シート７５２上に組み付けられた後、タイル７５０ａ〜７５０ｃは互いに付着又は別の方法で固定され、次に基準シート７５２から取り外される。これら及び類似の手法により、タイル張り状ディスプレイの動作について心配することなく、基準シート７５２は種々の形態を取りうるし、様々な材料から形成されうる。他の実施形態では、基準シート７５２は最終のタイル張り状ディスプレイ７５４の永久部分として働くように構成され、適切な機械的、電気的、及び／又は光学的特性を有してもよい（例えば、基準シート７５２はタイル張り状ディスプレイのカバーシート又は板として働き強化ガラスであってもよい）。タイル張り状ディスプレイがバックライトである場合、基準シート７５２は少なくとも２つの近接するバックライトタイルの部分上に延びる関連する液晶セルであってもよい。幾つかの実施形態では、曲面（非平面）タイル張り状ディスプレイが望まれる場合、基準シート７５２が平坦であってもタイル張り状ディスプレイ７５４を組み立てることができる。タイル張り状ディスプレイ７５４の組み立て後、基準シート７５２は所望の形状に低温曲げされて非平面ディスプレイを作ることができる。或いは、基準シート７５２は初め曲面形状でタイル７５０ａ〜７５０ｃが組み付けられてもよい。最終の曲面ディスプレイは０．１ｍ以下、或いは０．５ｍ以下、或いは１ｍ以下、或いは５ｍ以下、そして幾つかの実施形態では１０ｍ以下の曲率半径を有しうる。ＸＹ平面内のタイルの位置合わせ及び組み付けを可能にすることに加えて、基準表面７７０はＺ方向のタイル位置合わせも提供できる。例えば、幾つかの実施形態では、基準表面７７０は、近接するタイルをＺ方向に基板厚みの５０％以下、或いは４０％以下、或いは３０％以下、或いは２０％以下、或いは１０％以下、或いは５％以下、そして幾つかの実施形態では１％以下だけずらしたタイル配置を可能にする。
【００６３】
請求項に記載された対象物の範囲から逸脱することなく様々な改良及び変更が本明細書に記載された実施形態に対して可能である。従って、そのような改良及び変更が添付の請求項とそれらの等価物の範囲内に入る場合、本明細書は本明細書に記載された様々な実施形態のそれらの改良及び変更を含むことが意図されている。
【００６４】
以下、本発明の好ましい実施形態を項分け記載する。
【００６５】
実施形態１
複数の行及び複数の列に配列された画素のアレイを有するタイル張り状ディスプレイであって、該タイル張り状ディスプレイは
均一な画素ピッチで配列された画素のマトリックスを載せた基板を備えた第１のタイルであって、
前記基板は互いに反対側の第１及び第２主要面と、前記互いに反対側の主要面間を前記基板の深さ方向に延びる第１縁とを有し、
画素の前記マトリックスは前記第１縁に最も近く配置された第１画素を含む、第１のタイルと、
前記均一な画素ピッチで配列された画素のマトリックスを載せた基板を備えた第２のタイルであって、
該第２のタイルの前記基板は互いに反対側の主要面と、該第２のタイルの前記基板の深さ方向に延びる第１縁とを有する、第２のタイルと
を備え、
両方の前記第１縁は相補形状を有し、
該タイル張り状ディスプレイの最終組み立て体は、
互いに対向してそれらの間に第１継ぎ目を確立する両方の前記第１縁を含み、
前記第１のタイルの画素は前記第２のタイルの画素と位置合わせされ、前記均一な画素ピッチは指定された直線方向に前記第１継ぎ目を横切って維持され、
前記第１画素が前記複数の行の第１行及び前記複数の列の第１列内に整列され、
前記第２のタイルの前記画素は前記第１行と前記第１列のどちらに沿っても前記第１のタイルの画素間には位置せず、
前記相補形状は、
前記第１継ぎ目の少なくとも一部は前記複数の行に斜めであることと、
前記第１のタイルの前記第１縁は、前記第１のタイルの前記第１縁の少なくとも一部は対応する前記互いに反対側の主要面の平面に垂直でないように前記深さ方向に輪郭形成されていることと
からなる群から選択された少なくとも１つの特徴を備える、タイル張り状ディスプレイ。
【００６６】
実施形態２
前記第１のタイルの前記基板は対応する前記主要面間を延びる第２縁を更に有し、前記第２縁は前記第１のタイルの前記第１縁と角を形成し、前記第１のタイルの画素の前記マトリックスは前記第２縁に最も近く配置された第２画素を含み、
該タイル張り状ディスプレイは、
前記均一な画素ピッチで配列された画素のマトリックスを載せた基板を備えた第３のタイルであって、
該第３のタイルの前記基板は互いに反対側の主要面と、対応する前記主要面間を延びる第１縁とを有する、第３のタイルを
更に備え、
前記第１のタイルの前記第２縁と前記第３のタイルの前記第１縁とは相補形状を有し、
該タイル張り状ディスプレイの最終組み立て体は、
互いに対向してそれらの間に第２継ぎ目を確立する前記第１のタイルの前記第２縁と前記第３のタイルの前記第１縁とを含み、
前記第１のタイルの画素は前記第３のタイルの画素と位置合わせされ、前記均一な画素ピッチは前記指定された直線方向に前記第２継ぎ目を横切って維持される、実施形態１記載のタイル張り状ディスプレイ。
【００６７】
実施形態３
前記第１のタイルの前記第２縁と前記第３のタイルの前記第１縁との前記相補形状は
前記第２継ぎ目の少なくとも一部は前記複数の行に斜めであることと、
前記第１のタイルの前記第２縁と前記第３のタイルの前記第１縁とは、前記第１のタイルの前記第２縁と前記第３のタイルの前記第１縁とのそれぞれの少なくとも一部は対応する前記互いに反対側の主要面の平面に垂直でないように、それぞれ前記深さ方向に輪郭形成されていることと
からなる群から選択された少なくとも１つの特徴を備える、実施形態２記載のタイル張り状ディスプレイ。
【００６８】
実施形態４
前記第２のタイルの前記基板と前記第３のタイルの前記基板とはそれぞれ第２縁を更に有し、前記第１及び第２のタイルの前記第２縁は相補形状を有し、
該タイル張り状ディスプレイの最終組み立て体は、
互いに対向してそれらの間に第３継ぎ目を確立する前記第２のタイルの前記第２縁と前記第３のタイルの前記第２縁とを含み、
前記第２のタイルの画素は前記第３のタイルの画素と位置合わせされ、前記均一な画素ピッチは前記指定された直線方向に前記第３継ぎ目を横切って維持される、実施形態２記載のタイル張り状ディスプレイ。
【００６９】
実施形態５
前記第２のタイルの前記第２縁と前記第３のタイルの前記第２縁との前記相補形状は
前記第３継ぎ目の少なくとも一部は前記複数の行に斜めであることと、
前記第２のタイルの前記第２縁と前記第３のタイルの前記第２縁とは、前記第２のタイルの前記第２縁と前記第３のタイルの前記第２縁とのそれぞれの少なくとも一部は対応する前記互いに反対側の主要面の平面に垂直でないように、それぞれ前記深さ方向に輪郭形成されていることと
からなる群から選択された少なくとも１つの特徴を備える、実施形態４記載のタイル張り状ディスプレイ。
【００７０】
実施形態６
前記第１継ぎ目の前記一部は直線状でない、実施形態１記載のタイル張り状ディスプレイ。
【００７１】
実施形態７
前記各第１縁は対応する前記互いに反対側の主要面の平面に平行な平面において直線でない、実施形態１記載のタイル張り状ディスプレイ。
【００７２】
実施形態８
前記第１継ぎ目は直線状である、実施形態１記載のタイル張り状ディスプレイ。
【００７３】
実施形態９
前記第１継ぎ目全体が前記複数の行に斜めである、実施形態８記載のタイル張り状ディスプレイ。
【００７４】
実施形態１０
前記第１のタイルの前記第１縁は対応する前記第１主要面と鈍角をなし、対応する前記第２主要面と鋭角をなす、実施形態１記載のタイル張り状ディスプレイ。
【００７５】
実施形態１１
前記第１のタイルの前記第１縁は対応する前記第１主要面と鈍角をなし、対応する前記第２主要面と鋭角をなす、実施形態１０記載のタイル張り状ディスプレイ。
【００７６】
実施形態１２
前記第１継ぎ目内に配置され前記第１のタイルの前記第１縁を前記第２のタイルの前記第１縁から分離する枠要素を更に備える、実施形態１１記載のタイル張り状ディスプレイ。
【００７７】
実施形態１３
前記第２のタイルの前記第１縁は対応する第１の前記主要面と鋭角をなし、対応する第２の前記主要面と鈍角をなす、実施形態１０記載のタイル張り状ディスプレイ。
【００７８】
実施形態１４
該タイル張り状ディスプレイの最終組み立て体は前記第２のタイルの前記第１縁と平行な前記第１のタイルの前記第１縁を含む、実施形態１３記載のタイル張り状ディスプレイ。
【００７９】
実施形態１５
前記第１のタイルの前記第１縁は対応する前記互いに反対側の主要面間で曲線状であり、前記第２のタイルの前記第１縁は対応する前記互いに反対側の主要面間で直線状である、実施形態１記載のタイル張り状ディスプレイ。
【００８０】
実施形態１６
両方の前記第１縁は相補段付き形状を有する、実施形態１記載のタイル張り状ディスプレイ。
【００８１】
実施形態１７
前記第１のタイルの前記第１縁は切欠きを画定し、前記第２のタイルの前記第１縁はリブを画定し、該タイル張り状ディスプレイの最終組み立て体は前記切欠きと位置合わせされた前記リブを備える、実施形態１記載のタイル張り状ディスプレイ。
【００８２】
実施形態１８
前記第１のタイルの前記第１縁と前記第２のタイルの前記第１縁との間に配置されたスペーサーを更に備える実施形態１記載のタイル張り状ディスプレイ。
【００８３】
実施形態１９
前記スペーサーは重合体材料を含む、実施形態１８記載のタイル張り状ディスプレイ。
【００８４】
実施形態２０
前記第１のタイルの前記基板の前記第１主要面はベース板に装着するための溝及び突起の少なくとも一方を備える、実施形態１記載のタイル張り状ディスプレイ。
【００８５】
実施形態２１
前記均一な画素ピッチは０．５ｍｍ以下である、実施形態１記載のタイル張り状ディスプレイ。
【００８６】
実施形態２２
前記均一な画素ピッチは０．４ｍｍ以下である、実施形態２１記載のタイル張り状ディスプレイ。
【００８７】
実施形態２３
前記均一な画素ピッチは０．３ｍｍ以下である、実施形態２２記載のタイル張り状ディスプレイ。
【００８８】
実施形態２４
前記第１のタイルは複数のマイクロＬＥＤを更に備える、実施形態１記載のタイル張り状ディスプレイ。
【００８９】
実施形態２５
該タイル張り状ディスプレイの最終組み立て体は、前記指定された直線方向に前記均一な画素ピッチの５０％以下の位置合わせ誤差で前記第２のタイルの画素と位置合わせされた前記第１のタイルの画素を含む、実施形態１記載のタイル張り状ディスプレイ。
【００９０】
実施形態２６
前記第１のタイルの前記基板はガラス、ガラスセラミック、及びセラミックからなる群から選択された材料を含む、実施形態１記載のタイル張り状ディスプレイ。
【００９１】
実施形態２７
前記第１のタイルの前記基板は１０ｐｐｍ／℃以下の熱膨張係数を示す、実施形態１記載のタイル張り状ディスプレイ。
【００９２】
実施形態２８
前記第１のタイルの前記基板は５０ＧＰａ以上のヤング率を示す、実施形態１記載のタイル張り状ディスプレイ。
【００９３】
実施形態２９
基準表面上に第１のタイルを配置するステップであって、前記第１のタイルは均一な画素ピッチで配列された画素のマトリックスを載せた基板と前記第１のタイルのいずれの外周縁からも離れて設けられたアライメント特徴とを備える、ステップと、
前記基準表面上に第２のタイルを配置するステップであって、前記第２のタイルは均一な画素ピッチで配列された画素のマトリックスを載せた基板と前記第２のタイルのいずれの外周縁からも離れて設けられたアライメント特徴とを備える、ステップと、
前記第１のタイルの１つの縁は前記第２のタイルの１つの縁と対向して第１継ぎ目を確立するよう少なくとも前記第２のタイルを前記第１のタイルに対して前記基準表面に沿って移動させるステップと、
前記第１のタイルの前記複数の画素が前記第２のタイルの前記複数の画素と位置合わせされるように前記第１のタイルの前記アライメント特徴を前記第２のタイルの前記アライメント特徴と位置合わせするステップと
を含み、
位置合わせする前記ステップの後、前記均一な画素ピッチは指定された直線方向に前記第１継ぎ目を横切って維持される、タイル張り状ディスプレイの組み立て方法。
【００９４】
実施形態３０
前記第１のタイルの前記アライメント特徴を前記第２のタイルの前記アライメント特徴と位置合わせする前記ステップは、前記第１のタイルの前記アライメント特徴を前記第２のタイルの前記アライメント特徴と光学的に位置合わせすることを含む、実施形態２９記載の方法。
【００９５】
実施形態３１
前記アライメント特徴は、マイクロＬＥＤ、電子相互接続パターン、及び前記第１のタイルの前記基板にパターン形成された位置合わせマークからなる群から選択される、実施形態２９記載の方法。
【００９６】
実施形態３２
前記第１及び第２のタイルのそれぞれの前記複数の画素は少なくとも１つのマイクロＬＥＤを含み、前記第１及び第２のタイルのそれぞれの前記アライメント特徴は対応する前記画素マトリックスの少なくとも１つのマイクロＬＥＤからなる、実施形態２９記載の方法。
【００９７】
実施形態３３
位置合わせする前記ステップの次に、
前記第１のタイルを前記第２のタイルに固定するステップと、
前記基準表面から前記第１及び第２のタイルを取り外すステップと
を更に含む実施形態２９記載の方法。
【００９８】
実施形態３４
位置合わせする前記ステップの次に、
前記第１及び第２のタイルを前記基準表面に固定するステップを更に含み、
前記基準表面は前記タイル張り状ディスプレイの構成要素である、実施形態２９記載の方法。
【００９９】
実施形態３５
前記基準表面は第１及び第２の基準特徴を載せたシートからなり、移動させる前記ステップは、
前記第１のタイルの前記アライメント特徴を前記第１の基準特徴と位置合わせすることと、
前記第１のタイルの前記アライメント特徴を前記第２の基準特徴と位置合わせすることとを含む、実施形態２９記載の方法。
【０１００】
実施形態３６
前記均一な画素ピッチは０．５ｍｍ以下である、実施形態２９記載の方法。
【０１０１】
実施形態３７
前記均一な画素ピッチは０．４ｍｍ以下である、実施形態３６記載の方法。
【０１０２】
実施形態３８
前記均一な画素ピッチは０．３ｍｍ以下である、実施形態３７記載の方法。
【０１０３】
実施形態３９
前記第１のタイルの前記複数の画素は複数のマイクロＬＥＤを含む、実施形態２９記載のタイル張り状ディスプレイ。
【０１０４】
実施形態４０
前記タイル張り状ディスプレイの最終組み立て体は、前記均一な画素ピッチの５０％以下の位置合わせ誤差で前記第２のタイルの複数の画素と位置合わせされた前記第１のタイルの複数の画素を含む、実施形態２９記載の方法。
【０１０５】
実施形態４１
前記第１のタイルの前記基板はガラス、ガラスセラミック、及びセラミックからなる群から選択された材料を含む、実施形態２９記載の方法。
【０１０６】
実施形態４２
前記第１のタイルの前記基板は１０ｐｐｍ／℃以下の熱膨張係数を示す、実施形態２９記載の方法。
【０１０７】
実施形態４３
前記第１のタイルの前記基板は５０ＧＰａ以上のヤング率を示す、実施形態２９記載の方法。
【符号の説明】
【０１０８】
２０、１２０、２２０、４００、４５０    タイル張り状ディスプレイ
３０、３２、１３０、１３２、１３４、１３６、１３８、１４０、１４２、４１０、４１２、４６０、４６２、６５４、６９０、７５０ａ、７５０ｂ、７５０ｃ    タイル
４０、４２、１５０、１５２、１５４、４２０、４２２、４７０、４７２、６５０、７００、７６０ａ、７６０ｂ、７６０ｃ    基板
４４    画素
４６、１６０    画素アレイ
５０、１６２、１６４、７８０    継ぎ目
５２    ディスプレイ装置
５４    コントローラ
６４、６６、６８、７０、４３４、４４４、４８４、５８４、５９４    縁
８０    マトリックス
４３０、４３２、６５６、７０６    主要面
４６４    枠要素
５８６    突出ヘッド
５９６    突出フロア
６３６    スロット
６４６    リブ
６５２、７５２    基準シート
６６０、６６２    アライメント溝
６７０、７２０、７７０    基準表面
６７２、６７４    基準溝
６８０、６８２    ピン
７１０、７１２    突起
【図１】
2020527251.tif 000003
【図２Ａ】
2020527251.tif 000004
【図２Ｂ】
2020527251.tif 000005
【図３】
2020527251.tif 000006
【図４】
2020527251.tif 000007
【図５】
2020527251.tif 000008
【図６】
2020527251.tif 000009
【図７】
2020527251.tif 000010
【図８】
2020527251.tif 000011
【図９】
2020527251.tif 000012
【図１０】
2020527251.tif 000013
【図１１】
2020527251.tif 000014
【図１２Ａ】
2020527251.tif 000015
【図１２Ｂ】
2020527251.tif 000016
【図１２Ｃ】
2020527251.tif 000017
【図１３】
2020527251.tif 000018
【図１４】
2020527251.tif 000019
【図１５Ａ】
2020527251.tif 000020
【図１５Ｂ】
2020527251.tif 000021
【図１５Ｃ】
2020527251.tif 000022
【国際調査報告】
2020527251.tif 000023
2020527251.tif 000024
2020527251.tif 000025